(57)【要約】【課題】操作画像の表示を必要とする視聴者を選択して、操作画像を含む映像を提供することができる映像視聴システム並びにこの映像視聴システムに用いられる表示装置、操作装置及び眼鏡装置を提供する。【解決手段】表示装置と、複数の眼鏡装置と、表示装置を操作するための操作装置と、を備え、操作装置は、第１制御信号を送信し、表示装置は、複数の眼鏡装置を制御するための第２制御信号を送信し、補助動作は、操作画像を含む第１フレーム画像の視聴を補助する第１補助動作と、操作画像を含まない第２フレーム画像の視聴を補助する第２補助動作を含み、第２通信部は、操作用眼鏡装置と非操作用眼鏡装置とを識別するための識別情報に基づき、操作用眼鏡装置に第１補助動作を実行させるとともに非操作用眼鏡装置に第２補助動作を実行させるための前記第２制御信号を送信することを特徴とする映像視聴システム。【選択図】図１
2012023553.tif 000002
【特許請求の範囲】
【請求項１】
順次生成されるフレーム画像を含む映像を表示する表示部を含む表示装置と、
前記映像の視聴を補助する補助動作を行う複数の眼鏡装置と、
前記表示装置の所定の動作を指示するための操作情報が入力される操作装置と、を備え、
前記操作装置は、前記操作情報に基づき前記表示装置を制御するための第１制御信号を送信する第１通信部を含み、
前記表示装置は、前記第１制御信号を受信するとともに前記複数の眼鏡装置を制御するための第２制御信号を送信する第２通信部と、
前記操作情報に関連する情報を視覚的に伝達するための操作画像を生成する生成部と、を含み、
前記複数の眼鏡装置それぞれは前記第２制御信号を受信する第３通信部を含み、
前記フレーム画像は、前記操作画像を含む第１フレーム画像と、前記操作画像を含まない第２フレーム画像とを含み、
前記補助動作は、前記第１フレーム画像の視聴を補助する第１補助動作と、前記第２フレーム画像の視聴を補助する第２補助動作を含み、
前記第１制御信号は、前記複数の眼鏡装置の中から前記第１補助動作を実行させるための操作用眼鏡装置と、前記第２補助動作を実行させるための非操作用眼鏡装置とを識別するための識別情報を含み、
前記第２通信部が前記第１制御信号を受信すると、前記表示部は前記第１フレーム画像と前記第２フレーム画像とを時間的に切り換えて表示し、
前記第１制御信号を受信した前記第２通信部は、前記識別情報に基づき、前記操作用眼鏡装置に前記第１補助動作を実行させるとともに前記非操作用眼鏡装置に前記第２補助動作を実行させるための前記第２制御信号を送信し、
前記操作用眼鏡装置は、前記第２制御信号に基づき、前記第１補助動作を実行し、
前記非操作用眼鏡装置は、前記第２制御信号に基づき、前記第２補助動作を実行することを特徴とする映像視聴システム。
【請求項２】
前記識別情報は、前記複数の眼鏡装置それぞれに固有に割り当てられた固有識別情報を含み、
前記操作装置は、前記複数の眼鏡装置の中から前記操作用眼鏡装置を選択するための選択部を備え、
前記第１通信部は、前記選択部によって選択された前記操作用眼鏡装置に割り当てられた前記固有識別情報を含む前記第１制御信号を送信し、
前記表示装置は、
前記複数の眼鏡装置それぞれの前記固有識別情報を予め保持するとともに前記固有識別情報を用いて前記複数の眼鏡装置それぞれを管理する管理部と、
前記第２通信部を制御する制御部と、を備え、
該制御部は、前記第１制御信号が含む前記固有識別情報と前記管理部が保持する前記複数の眼鏡装置それぞれの固有識別情報とを比較するとともに前記操作用眼鏡装置及び前記非操作用眼鏡装置を特定し、
前記第１制御信号を受信した前記第２通信部は、前記制御部が特定した前記操作用眼鏡装置に前記第１補助動作を実行させるとともに前記制御部が特定した前記非操作用眼鏡装置に前記第２補助動作を実行させるための前記第２制御信号を送信し、
前記制御部が特定した前記操作用眼鏡装置は、前記第２制御信号に基づき、前記第１補助動作を実行し、
前記制御部が特定した前記非操作用眼鏡装置は、前記第２制御信号に基づき、前記第２補助動作を実行することを特徴とする請求項１に記載の映像視聴システム。
【請求項３】
前記フレーム画像は、第１のコンテンツデータに基づき表示される第１画像と、第２のコンテンツデータに基づき表示される第２画像とを含み、
前記表示装置は、前記第１画像又は第２画像と前記操作画像とを選択的に合成する映像処理部を備え、
前記制御部は、前記第１制御信号に基づき、前記映像処理部を制御し、
前記複数の眼鏡装置は、前記第１画像の視聴を補助する第１画像用の眼鏡装置と、前記第２画像の視聴を補助する第２画像用の眼鏡装置と、を含み、
前記制御部は、前記第１制御信号が含む前記固有識別情報と前記管理部が保持する前記複数の眼鏡装置それぞれの固有識別情報とを比較することによって、前記第１画像用の眼鏡装置及び前記第２画像用の眼鏡装置のうち一方を前記操作用眼鏡装置として特定し、他方を前記非操作用眼鏡装置として特定し、
前記制御部が前記第１画像用の眼鏡装置を前記操作用眼鏡装置として特定するとき、前記映像処理部は、前記操作画像を前記第１画像に合成することにより、前記第１フレーム画像を生成し、
前記制御部が前記第２画像用の眼鏡装置を前記操作用眼鏡装置として特定するとき、前記映像処理部は、前記操作画像を前記第２画像に合成することにより、前記第１フレーム画像を生成することを特徴とする請求項２記載の映像視聴システム。
【請求項４】
前記複数の眼鏡装置それぞれの前記第３通信部は、前記複数の眼鏡装置それぞれが前記補助動作を実行できるか否かを表す状態情報を含む状態信号を前記第２通信部へ送信し、
前記状態信号それぞれは、前記状態信号それぞれを送信した前記複数の眼鏡装置それぞれに割り当てられた前記固有識別情報を含み、
前記管理部は、前記状態信号に基づき、前記複数の眼鏡装置の中から前記補助動作を実行できる可動眼鏡装置を特定し、
前記制御部は、前記状態信号と前記第１制御信号とに基づき、前記生成部と前記第２通信部とを制御し、
前記管理部が前記可動眼鏡装置を複数特定したとき、且つ、前記第２通信部が前記第１制御信号を受信したとき、前記制御部は、前記生成部に前記操作画像を生成させるとともに、前記第２通信部に前記第２制御信号を送信させることを特徴とする請求項２又は３に記載の映像視聴システム。
【請求項５】
前記第１通信部は、前記複数の眼鏡装置それぞれの前記固有識別情報を要求する要求信号を送信し、
前記複数の眼鏡装置のうち前記要求信号を受信した通信眼鏡装置の前記第３通信部は、前記通信眼鏡装置の前記固有識別情報を含む応答信号を前記第１通信部に送信し、
前記応答信号を受信した前記第１通信部は、前記通信眼鏡装置の前記固有識別情報を含む前記第１制御信号を前記第２通信部に送信することを特徴とする請求項４記載の映像視聴システム。
【請求項６】
前記操作装置は、該操作装置の操作者に対して、前記操作用眼鏡装置の選択操作が必要であることを通知する通知部を備え、
前記要求信号に応答する前記応答信号が複数存するとき、前記選択部は前記操作者が前記複数の応答信号それぞれに対応する前記通信眼鏡装置の中から前記操作用眼鏡装置を選択することを可能にし、
前記通知部は前記操作者に対して通知を行うことを特徴とする請求項５記載の映像視聴システム。
【請求項７】
前記複数の眼鏡装置それぞれは、前記補助動作のために用いられる電力を供給する電池を含み、
前記状態信号は、前記電力の供給の開始を表す開始信号と、前記電力の供給の停止を表す停止信号と、を含み、
前記管理部は、前記開始信号に基づき、前記可動眼鏡装置を特定するとともに、前記第２通信部によって受信された前記停止信号に基づき、前記補助動作を実行できない不可動眼鏡装置を特定することを特徴とする請求項４乃至６いずれか１項に記載の映像視聴システム。
【請求項８】
前記第２制御信号は、前記第１フレーム画像の表示に前記第１補助動作を同期させる第１同期信号と、前記第２フレーム画像の表示に前記第２補助動作を同期させる第２同期信号とを含み、
前記第２通信部は、前記第１フレーム画像の表示に同期して前記第１同期信号を送信するとともに前記第２フレーム画像の表示に同期して前記第２同期信号を送信し、
前記複数の眼鏡装置それぞれは、前記映像からの光の透過量を調整する光学フィルタ部を含み、
前記操作用眼鏡装置の前記光学フィルタ部は、前記第１同期信号に基づき、前記第２フレーム画像が表示されている間の透過量が、前記第１フレーム画像が表示されている間の透過量と較べて低減されるように前記透過量を調整し、
前記非操作用眼鏡装置の前記光学フィルタ部は、前記第２同期信号に基づき、前記第１フレーム画像が表示されている間の透過量が、前記第２フレーム画像が表示されている間の透過量と較べて低減されるように前記透過量を調整することを特徴とする請求項１乃至７いずれか１項に映像視聴システム。
【請求項９】
順次生成されるフレーム画像を含む映像を表示する表示部を含む表示装置であって、
前記表示装置に対する所定の動作を指示する操作情報に基づいて前記表示装置を制御するための第１制御信号を受信するとともに前記映像の視聴を補助する補助動作を行う複数の眼鏡装置を制御するための第２制御信号を送信する通信部と、
前記操作情報に関連する情報を視覚的に伝達するための操作画像を生成する生成部と、を含み、
前記フレーム画像は、前記操作画像を含む第１フレーム画像と、前記操作画像を含まない第２フレーム画像とを含み、
前記補助動作は、前記第１フレーム画像の視聴を補助する第１補助動作と、前記第２フレーム画像の視聴を補助する第２補助動作を含み、
前記第１制御信号は、前記複数の眼鏡装置の中から前記第１補助動作を実行させるための操作用眼鏡装置と、前記第２補助動作を実行させるための非操作用眼鏡装置とを識別するための識別情報を含み、
前記通信部が前記第１制御信号を受信すると、前記表示部は、前記第１フレーム画像と前記第２フレーム画像とを時間的に切り換えて表示し、
前記第１制御信号を受信した前記通信部は、前記識別情報に基づき、前記操作用眼鏡装置に前記第１補助動作を実行させるとともに前記非操作用眼鏡装置に前記第２補助動作を実行させるための前記第２制御信号を送信することを特徴とする表示装置。
【請求項１０】
順次生成されるフレーム画像を含む映像を表示する表示部を含む表示装置の所定の動作を指示するための操作情報が入力される操作装置であって、
前記操作情報に基づき前記表示装置を制御するための制御信号を送信するための通信部を備え、
前記フレーム画像は、前記操作情報に関連する情報を視覚的に伝達するための操作画像を含む第１フレーム画像と、前記操作画像を含まない第２フレーム画像と、を含み、
前記操作装置に前記操作情報が入力されると、前記通信部は前記表示部に、前記第１フレーム画像と前記第２フレーム画像とを時間的に切り換えて表示させるための制御信号を送信することを特徴とする操作装置。
【請求項１１】
表示装置の所定の動作を指示するための操作情報に関連する情報を視覚的に伝達する操作画像を含む第１フレーム画像及び前記操作画像を含まない第２フレーム画像のうち一方の視聴を補助する補助動作を行う眼鏡装置であって、
前記第１フレーム画像と前記第２フレーム画像とを時間的に切り換えて表示させるための第１制御信号を受信した前記表示装置から、前記眼鏡装置を制御するために送信される第２制御信号を受信する通信部を備え、
前記補助動作は、前記第１フレーム画像の視聴を補助する第１補助動作と前記第２フレーム画像の視聴を補助する第２補助動作とを含み、
前記第１制御信号は、前記眼鏡装置が前記第１補助動作を実行するための操作用眼鏡装置であるか、前記眼鏡装置が前記第２補助動作を実行するための非操作用眼鏡であるかを識別するための識別情報を含み、
前記識別情報に基づき前記操作用眼鏡装置であると識別された前記眼鏡装置は、前記第２制御信号に基づき、前記第１補助動作を実行し、
前記識別情報に基づき前記非操作用眼鏡装置であると識別された前記眼鏡装置は、前記第２制御信号に基づき、前記第２補助動作を実行することを特徴とする眼鏡装置。
【発明の詳細な説明】
【技術分野】
【０００１】
本発明は、３次元映像或いは２次元映像の視聴を補助する眼鏡装置を着用した複数の視聴者に対して映像を提示する映像視聴システム並びにこの映像視聴システムに用いられる表示装置、操作装置及び眼鏡装置に関する。
【背景技術】
【０００２】
近年、視聴者に映像を３次元的に知覚させる映像視聴システムが普及し始めている。映像視聴システムは、典型的には、左眼で視聴されるように作成された左眼用フレーム画像と右眼で視聴されるように作成された右眼用フレーム画像とを交互に表示する表示装置と、左眼用フレーム画像の表示及び右眼用フレーム画像の表示にタイミングを合わせて開閉するシャッタを有する眼鏡装置とを備える。眼鏡装置は、左眼用フレーム画像が表示されている間、左眼での映像の視聴を許容しつつ、右眼での映像の視聴を妨げる。また、眼鏡装置は、右眼用フレーム画像が表示されている間、右眼での映像の視聴を許容しつつ、左眼での映像の視聴を妨げる。左眼用フレーム画像と右眼用フレーム画像との間の視差量に起因して、視聴者は、表示装置に表示された映像を３次元的に知覚する。
【０００３】
上述の映像視聴システムは、眼鏡装置を着用する複数の視聴者に、表示装置が表示する映像を３次元的に知覚させることもできる。例えば、特許文献１は、眼鏡装置を着用した複数の視聴者それぞれに異なる映像（３次元的に知覚されるように作成された映像及び／又は２次元的に知覚されるように作成された映像）を視聴させる技術を提案する。
【先行技術文献】
【特許文献】
【０００４】
【特許文献１】特開２００２−０１０３００号公報
【発明の概要】
【発明が解決しようとする課題】
【０００５】
映像視聴システムの表示装置は、典型的には、リモートコントローラを通じて操作される。表示装置は、必要に応じて、表示装置に対する操作に関連する操作画像（GUI: Graphical User Interface）を表示する。
【０００６】
ＧＵＩは、リモートコントローラを操作する視聴者に対しては有益である。一方で、ＧＵＩは、リモートコントローラを操作していない視聴者にとっては、しばしば、映像の視聴の妨げとなる。
【０００７】
上述の映像視聴システムは、表示装置が表示するＧＵＩを全ての視聴者に視聴させる。この結果、リモートコントローラを操作していない視聴者にとっては好ましくない視聴環境がもたらされる。
【０００８】
本発明は、操作画像の表示を必要とする視聴者を選択して、操作画像を含む映像を提供することができる映像視聴システム並びにこの映像視聴システムに用いられる表示装置、操作装置及び眼鏡装置を提供することを目的とする。
【課題を解決するための手段】
【０００９】
本発明の一の局面に係る映像視聴システムは、順次生成されるフレーム画像を含む映像を表示する表示部を含む表示装置と、前記映像の視聴を補助する補助動作を行う複数の眼鏡装置と、前記表示装置の所定の動作を指示するための操作情報が入力される操作装置と、を備え、前記操作装置は、前記操作情報に基づき前記表示装置を制御するための第１制御信号を送信する第１通信部を含み、前記表示装置は、前記第１制御信号を受信するとともに前記複数の眼鏡装置を制御するための第２制御信号を送信する第２通信部と、前記操作情報に関連する情報を視覚的に伝達するための操作画像を生成する生成部と、を含み、前記複数の眼鏡装置それぞれは前記第２制御信号を受信する第３通信部を含み、前記フレーム画像は、前記操作画像を含む第１フレーム画像と、前記操作画像を含まない第２フレーム画像とを含み、前記補助動作は、前記第１フレーム画像の視聴を補助する第１補助動作と、前記第２フレーム画像の視聴を補助する第２補助動作を含み、前記第１制御信号は、前記複数の眼鏡装置の中から前記第１補助動作を実行させるための操作用眼鏡装置と、前記第２補助動作を実行させるための非操作用眼鏡装置とを識別するための識別情報を含み、前記第２通信部が前記第１制御信号を受信すると、前記表示部は前記第１フレーム画像と前記第２フレーム画像とを時間的に切り換えて表示し、前記第１制御信号を受信した前記第２通信部は、前記識別情報に基づき、前記操作用眼鏡装置に前記第１補助動作を実行させるとともに前記非操作用眼鏡装置に前記第２補助動作を実行させるための前記第２制御信号を送信し、前記操作用眼鏡装置は、前記第２制御信号に基づき、前記第１補助動作を実行し、前記非操作用眼鏡装置は、前記第２制御信号に基づき、前記第２補助動作を実行することを特徴とする。
【００１０】
上記構成によれば、表示装置の表示部は、順次生成されるフレーム画像を含む映像を表示する。複数の眼鏡装置は、映像の視聴を補助する補助動作を行う。操作装置には、表示装置の所定の動作を指示するための操作情報が入力される。操作装置の第１通信部は、操作情報に基づき、表示装置を制御するための第１制御信号を送信する。表示装置の第２通信部は、第１制御信号を受信するとともに複数の眼鏡装置を制御するための第２制御信号を送信する。表示装置の生成部は、操作情報に関連する情報を視覚的に伝達するための操作画像を生成する。表示装置の表示部は、操作画像を含む第１フレーム画像と操作画像を含まない第２フレーム画像とを時間的に切り換えて表示する。第１制御信号は、複数の眼鏡装置の中から第１補助動作を実行する操作用眼鏡装置と、第２補助動作を実行する非操作用眼鏡装置とを識別するための識別情報を含む。表示装置の第２通信部が第１制御信号を操作装置から受信すると、表示装置の表示部は第１フレーム画像と第２フレーム画像とを時間的に切り換えて表示する。第１制御信号を受信した第２通信部は、第１制御信号が含む識別情報に基づき、操作用眼鏡装置に第１補助動作を実行させるとともに非操作用眼鏡装置に第２補助動作を実行させるための第２制御信号を送信する。操作用眼鏡装置は、第２制御信号に基づき第１補助動作を実行する。また、非操作用眼鏡装置は、第２制御信号に基づき、第２補助動作を実行する。識別情報に基づいて、操作画像を含む第１フレーム画像を視聴するための第１補助動作を行う操作用眼鏡装置と操作画像を含まない第２フレーム画像を視聴するための非操作用眼鏡装置とが識別されるので、操作画像の表示を必要とする視聴者を選択して、操作画像を含む映像が提供される。
【００１１】
上記構成において、前記識別情報は、前記複数の眼鏡装置それぞれに固有に割り当てられた固有識別情報を含み、前記操作装置は、前記複数の眼鏡装置の中から前記操作用眼鏡装置を選択するための選択部を備え、前記第１通信部は、前記選択部によって選択された前記操作用眼鏡装置に割り当てられた前記固有識別情報を含む前記第１制御信号を送信し、前記表示装置は、前記複数の眼鏡装置それぞれの前記固有識別情報を予め保持するとともに前記固有識別情報を用いて前記複数の眼鏡装置それぞれを管理する管理部と、前記第２通信部を制御する制御部と、を備え、該制御部は、前記第１制御信号が含む前記固有識別情報と前記管理部が保持する前記複数の眼鏡装置それぞれの固有識別情報とを比較するとともに前記操作用眼鏡装置及び前記非操作用眼鏡装置を特定し、前記第１制御信号を受信した前記第２通信部は、前記制御部が特定した前記操作用眼鏡装置に前記第１補助動作を実行させるとともに前記制御部が特定した前記非操作用眼鏡装置に前記第２補助動作を実行させるための前記第２制御信号を送信し、前記制御部が特定した前記操作用眼鏡装置は、前記第２制御信号に基づき、前記第１補助動作を実行し、前記制御部が特定した前記非操作用眼鏡装置は、前記第２制御信号に基づき、前記第２補助動作を実行することが好ましい。
【００１２】
上記構成によれば、識別情報は、複数の眼鏡装置それぞれに固有に割り当てられた固有識別情報を含む。操作装置は、複数の眼鏡装置の中から操作用眼鏡装置を選択するための選択部を備える。表示装置は、複数の眼鏡装置それぞれを管理する管理部と第２通信部を制御する制御部を備える。管理部は、複数の眼鏡装置それぞれの固有識別情報を予め保持する。表示装置の制御部は、第１制御信号が含む固有識別情報と管理部が保持する複数の眼鏡装置それぞれの固有識別情報とを比較する。この結果、表示装置の制御部は、操作用眼鏡装置と非操作用眼鏡装置とを特定する。第１制御信号を受信した表示装置の第２受信部は、制御部が特定した操作用眼鏡装置に第１補助動作を実行させるとともに制御部が特定した非操作用眼鏡装置に第２補助動作を実行させるための第２制御信号を送信する。表示装置の制御部が特定した操作用眼鏡装置は、第２制御信号に基づき、第１補助動作を実行する。制御部が特定した非操作用眼鏡装置は、第２制御信号に基づき、第２補助動作を実行する。選択部によって選択された操作用眼鏡装置として選択された眼鏡装置の固有識別情報に基づいて、操作画像を含む第１フレーム画像を視聴するための第１補助動作を行う操作用眼鏡装置と操作画像を含まない第２フレーム画像を視聴するための非操作用眼鏡装置とが識別されるので、操作画像の表示を必要とする視聴者を選択して、操作画像を含む映像が提供される。
【００１３】
上記構成において、前記フレーム画像は、第１のコンテンツデータに基づき表示される第１画像と、第２のコンテンツデータに基づき表示される第２画像とを含み、前記表示装置は、前記第１画像又は第２画像と前記操作画像とを選択的に合成する映像処理部を備え、前記制御部は、前記第１制御信号に基づき、前記映像処理部を制御し、前記複数の眼鏡装置は、前記第１画像の視聴を補助する第１画像用の眼鏡装置と、前記第２画像の視聴を補助する第２画像用の眼鏡装置と、を含み、前記制御部は、前記第１制御信号が含む前記固有識別情報と前記管理部が保持する前記複数の眼鏡装置それぞれの固有識別情報とを比較することによって、前記第１画像用の眼鏡装置及び前記第２画像用の眼鏡装置のうち一方を前記操作用眼鏡装置として特定し、他方を前記非操作用眼鏡装置として特定し、前記制御部が前記第１画像用の眼鏡装置を前記操作用眼鏡装置として特定するとき、前記映像処理部は、前記操作画像を前記第１画像に合成することにより、前記第１フレーム画像を生成し、前記制御部が前記第２画像用の眼鏡装置を前記操作用眼鏡装置として特定するとき、前記映像処理部は、前記操作画像を前記第２画像に合成することにより、前記第１フレーム画像を生成することが好ましい。
【００１４】
上記構成によれば、フレーム画像は、第１のコンテンツデータに基づき表示される第１画像と、第２のコンテンツデータに基づき表示される第２画像とを含む。表示装置は、第１画像又は第２画像と操作画像とを選択的に合成する映像処理部を備える。制御部は、第１制御信号に基づき、映像処理部を制御する。複数の眼鏡装置は、第１画像の視聴を補助する第１画像用の眼鏡装置と、第２画像の視聴を補助する第２画像用の眼鏡装置と、を含む。制御部は、第１制御信号が含む固有識別情報と管理部が保持する複数の眼鏡装置それぞれの固有識別情報とを比較することによって、第１画像用の眼鏡装置及び第２画像用の眼鏡装置のうち一方を操作用眼鏡装置として特定し、他方を非操作用眼鏡装置として特定する。制御部が前記第１画像用の眼鏡装置を前記操作用眼鏡装置として特定するとき、映像処理部は、操作画像を第１画像に合成することにより、第１フレーム画像を生成する。制御部が第２画像用の眼鏡装置を操作用眼鏡装置として特定するとき、映像処理部は、操作画像を第２画像に合成することにより、第１フレーム画像を生成する。識別情報に基づいて、第１画像用の眼鏡装置を通じて視聴される第１画像又は第２画像用の眼鏡装置を通じて視聴される第２画像のうち一方に操作画像が合成されることにより第１フレームが生成されるので、操作画像の表示を必要とする視聴者を選択して、操作画像を含む映像が提供される。
【００１５】
上記構成において、前記複数の眼鏡装置それぞれの前記第３通信部は、前記複数の眼鏡装置それぞれが前記補助動作を実行できるか否かを表す状態情報を含む状態信号を前記第２通信部へ送信し、前記状態信号それぞれは、前記状態信号それぞれを送信した前記複数の眼鏡装置それぞれに割り当てられた前記固有識別情報を含み、前記管理部は、前記状態信号に基づき、前記複数の眼鏡装置の中から前記補助動作を実行できる可動眼鏡装置を特定し、前記制御部は、前記状態信号と前記第１制御信号とに基づき、前記生成部と前記第２通信部とを制御し、前記管理部が前記可動眼鏡装置を複数特定したとき、且つ、前記第２通信部が前記第１制御信号を受信したとき、前記制御部は、前記生成部に前記操作画像を生成させるとともに、前記第２通信部に前記第２制御信号を送信させることが好ましい。
【００１６】
上記構成によれば、複数の眼鏡装置それぞれの第３通信部は、複数の眼鏡装置それぞれが補助動作を実行できるか否かを表す状態情報を含む状態信号を第２通信部へ送信する。状態信号それぞれは、状態信号それぞれを送信した複数の眼鏡装置それぞれに割り当てられた固有識別情報を含む。管理部は、状態信号に基づき、複数の眼鏡装置の中から補助動作を実行できる可動眼鏡装置を特定する。表示装置の制御部は、状態信号と第１制御信号とに基づき、生成部と第２通信部とを制御する。管理部が可動眼鏡装置を複数特定したとき、且つ、第２通信部が第１制御信号を受信したとき、制御部は、生成部に操作画像を生成させるとともに、第２通信部に第２制御信号を送信させる。映像の視聴が複数の眼鏡装置を通じて行われているときに、第１フレーム画像及び第２フレーム画像の表示並びに操作用眼鏡装置及び非操作用眼鏡装置の識別が行われるので、操作画像の表示を必要とする視聴者を選択して、操作画像を含む映像が提供される。
【００１７】
上記構成において、前記第１通信部は、前記複数の眼鏡装置それぞれの前記固有識別情報を要求する要求信号を送信し、前記複数の眼鏡装置のうち前記要求信号を受信した通信眼鏡装置の前記第３通信部は、前記通信眼鏡装置の前記固有識別情報を含む応答信号を前記第１通信部に送信し、前記応答信号を受信した前記第１通信部は、前記通信眼鏡装置の前記固有識別情報を含む前記第１制御信号を前記第２通信部に送信することが好ましい。
【００１８】
上記構成によれば、第１通信部は、複数の眼鏡装置それぞれの固有識別情報を要求する要求信号を送信する。複数の眼鏡装置のうち要求信号を受信した通信眼鏡装置の第３通信部は、通信眼鏡装置の固有識別情報を含む応答信号を操作装置の第１通信部に送信する。応答信号を受信した第１通信部は、通信眼鏡装置の固有識別情報を含む第１制御信号を第２通信部に送信する。したがって、操作装置と通信することができる眼鏡装置が操作用眼鏡装置として適切に選択される。
【００１９】
上記構成において、前記操作装置は、該操作装置の操作者に対して、前記操作用眼鏡装置の選択操作が必要であることを通知する通知部を備え、前記要求信号に応答する前記応答信号が複数存するとき、前記選択部は、前記操作者が前記複数の応答信号それぞれに対応する前記通信眼鏡装置の中から前記操作用眼鏡装置を選択することを可能にし、前記通知部は前記操作者に対して通知を行うことが好ましい。
【００２０】
上記構成によれば、要求信号に応答する前記応答信号が複数存するとき、選択部は、操作装置の操作者が、前記複数の応答信号それぞれに対応する前記通信眼鏡装置の中から前記操作用眼鏡装置を選択することを可能にする。操作装置の通知部は、操作装置の使用者に対して、操作用眼鏡装置の選択操作が必要であることを通知する。かくして、操作用眼鏡装置の選択が適切に促される。
【００２１】
上記構成において、前記複数の眼鏡装置それぞれは、前記補助動作のために用いられる電力を供給する電池を含み、前記状態信号は、前記電力の供給の開始を表す開始信号と、前記電力の供給の停止を表す停止信号と、を含み、前記管理部は、前記開始信号に基づき、前記可動眼鏡装置を特定するとともに、前記第２通信部によって受信された前記停止信号に基づき、前記補助動作を実行できない不可動眼鏡装置を特定することが好ましい。
【００２２】
上記構成によれば、複数の眼鏡装置それぞれは、補助動作のために用いられる電力を供給する電池を含む。状態信号は、電力の供給の開始を表す開始信号と、電力の供給の停止を表す停止信号と、を含む。管理部は、開始信号に基づき、可動眼鏡装置を特定する。また、管理部は、第２通信部によって受信された停止信号に基づき、補助動作を実行できない不可動眼鏡装置を特定する。したがって、管理部は、複数の可動眼鏡装置が存するか否かを適切に見極めることができる。映像の視聴が複数の眼鏡装置を通じて行われているならば、第１フレーム画像及び第２フレーム画像の表示並びに操作用眼鏡装置及び非操作用眼鏡装置の識別が行われるので、操作画像の表示を必要とする視聴者を選択して、操作画像を含む映像が提供される。
【００２３】
上記構成において、前記第２制御信号は、前記第１フレーム画像の表示に前記第１補助動作を同期させる第１同期信号と、前記第２フレーム画像の表示に前記第２補助動作を同期させる第２同期信号とを含み、前記第２通信部は、前記第１フレーム画像の表示に同期して前記第１同期信号を送信するとともに前記第２フレーム画像の表示に同期して前記第２同期信号を送信し、前記複数の眼鏡装置それぞれは、前記映像からの光の透過量を調整する光学フィルタ部を含み、前記操作用眼鏡装置の前記光学フィルタ部は、前記第１同期信号に基づき、前記第２フレーム画像が表示されている間の透過量が、前記第１フレーム画像が表示されている間の透過量と較べて低減されるように前記透過量を調整し、前記非操作用眼鏡装置の前記光学フィルタ部は、前記第２同期信号に基づき、前記第１フレーム画像が表示されている間の透過量が、前記第２フレーム画像が表示されている間の透過量と較べて低減されるように前記透過量を調整することが好ましい。
【００２４】
上記構成によれば、第２制御信号は、第１フレーム画像の表示に第１補助動作を同期させる第１同期信号と、第２フレーム画像の表示に第２補助動作を同期させる第２同期信号とを含む。第２通信部は、第１フレーム画像の表示に同期して第１同期信号を送信するとともに第２フレーム画像の表示に同期して第２同期信号を送信する。複数の眼鏡装置それぞれは、映像からの光の透過量を調整する光学フィルタ部を含む。操作用眼鏡装置の光学フィルタ部は、第１同期信号に基づき、第２フレーム画像が表示されている間の透過量が、第１フレーム画像が表示されている間の透過量と較べて低減されるように透過量を調整する。したがって、操作用眼鏡装置は、視聴者に第１フレーム画像を適切に視聴させるとともに、第２フレーム画像が知覚されることを適切に抑制することができる。また、非操作用眼鏡装置の光学フィルタ部は、第２同期信号に基づき、第１フレーム画像が表示されている間の透過量が、第２フレーム画像が表示されている間の透過量と較べて低減されるように透過量を調整する。したがって、非操作用眼鏡装置は、視聴者に第２フレーム画像を適切に視聴させるとともに、第１フレーム画像が知覚されることを適切に抑制することができる。
【００２５】
本発明の他の局面に係る順次生成されるフレーム画像を含む映像を表示する表示部を含む表示装置は、前記表示装置に対する所定の動作を指示する操作情報に基づいて前記表示装置を制御するための第１制御信号を受信するとともに前記映像の視聴を補助する補助動作を行う複数の眼鏡装置を制御するための第２制御信号を送信する通信部と、前記操作情報に関連する情報を視覚的に伝達するための操作画像を生成する生成部と、を含み、前記フレーム画像は、前記操作画像を含む第１フレーム画像と、前記操作画像を含まない第２フレーム画像とを含み、前記補助動作は、前記第１フレーム画像の視聴を補助する第１補助動作と、前記第２フレーム画像の視聴を補助する第２補助動作を含み、前記第１制御信号は、前記複数の眼鏡装置の中から前記第１補助動作を実行させるための操作用眼鏡装置と、前記第２補助動作を実行させるための非操作用眼鏡装置とを識別するための識別情報を含み、前記通信部が前記第１制御信号を受信すると、前記表示部は、前記第１フレーム画像と前記第２フレーム画像とを時間的に切り換えて表示し、前記第１制御信号を受信した前記通信部は、前記識別情報に基づき、前記操作用眼鏡装置に前記第１補助動作を実行させるとともに前記非操作用眼鏡装置に前記第２補助動作を実行させるための前記第２制御信号を送信することを特徴とする。
【００２６】
上記構成によれば、表示装置の表示部は、順次生成されるフレーム画像を含む映像を表示する。表示装置の通信部は、表示装置に対する所定の動作を指示する操作情報に基づいて表示装置を制御するための第１制御信号を受信する。また、通信部は、映像の視聴を補助する補助動作を行う複数の眼鏡装置を制御するための第２制御信号を送信する。表示装置の生成部は、操作情報に関連する情報を視覚的に伝達するための操作画像を生成する。補助動作は、第１フレーム画像の視聴を補助する第１補助動作と、第２フレーム画像の視聴を補助する第２補助動作を含む。第１制御信号は、複数の眼鏡装置の中から前記第１補助動作を実行させるための操作用眼鏡装置と、第２補助動作を実行させるための非操作用眼鏡装置とを識別するための識別情報を含む。通信部が第１制御信号を受信すると、表示部は、操作画像を含む第１フレーム画像と操作画像を含まない第２フレーム画像とを時間的に切り換えて表示する。第１制御信号を受信した通信部は、識別情報に基づき、操作用眼鏡装置に第１補助動作を実行させるとともに非操作用眼鏡装置に第２補助動作を実行させるための第２制御信号を送信する。かくして、操作画像の表示を必要とする視聴者を選択して、操作画像を含む映像が提供される。
【００２７】
本発明の更に他の局面に係る順次生成されるフレーム画像を含む映像を表示する表示部を含む表示装置の所定の動作を指示するための操作情報が入力される操作装置は、前記操作情報に基づき前記表示装置を制御するための制御信号を送信するための通信部を備え、前記フレーム画像は、前記操作情報に関連する情報を視覚的に伝達するための操作画像を含む第１フレーム画像と、前記操作画像を含まない第２フレーム画像と、を含み、前記操作装置に前記操作情報が入力されると、前記通信部は前記表示部に、前記第１フレーム画像と前記第２フレーム画像とを時間的に切り換えて表示させるための制御信号を送信することを特徴とする。
【００２８】
上記構成によれば、操作装置には、順次生成されるフレーム画像を含む映像を表示する表示部を含む表示装置の所定の動作を指示するための操作情報が入力される。操作装置の通信部は、操作情報に基づき表示装置を制御するための制御信号を送信する。フレーム画像は、操作情報に関連する情報を視覚的に伝達するための操作画像を含む第１フレーム画像と、操作画像を含まない第２フレーム画像と、を含む。操作装置に操作情報が入力されると、通信部は表示部に、第１フレーム画像と第２フレーム画像とを時間的に切り換えて表示させるための制御信号を送信する。操作装置からの制御信号に基づき、操作画像を含む第１フレーム画像と操作画像を含まないフレーム画像が時間的に表示されるので、操作画像の要否に応じて、第１フレーム画像の視聴と第２フレーム画像の視聴とを選択可能となる。
【００２９】
本発明の更に他の局面に係る表示装置の所定の動作を指示するための操作情報に関連する情報を視覚的に伝達する操作画像を含む第１フレーム画像及び前記操作画像を含まない第２フレーム画像のうち一方の視聴を補助する補助動作を行う眼鏡装置は、前記第１フレーム画像と前記第２フレーム画像とを時間的に切り換えて表示させるための第１制御信号を受信した前記表示装置から、前記眼鏡装置を制御するために送信される第２制御信号を受信する通信部を備え、前記補助動作は、前記第１フレーム画像の視聴を補助する第１補助動作と前記第２フレーム画像の視聴を補助する第２補助動作とを含み、前記第１制御信号は、前記眼鏡装置が前記第１補助動作を実行するための操作用眼鏡装置であるか、前記眼鏡装置が前記第２補助動作を実行するための非操作用眼鏡であるかを識別するための識別情報を含み、前記識別情報に基づき前記操作用眼鏡装置であると識別された前記眼鏡装置は、前記第２制御信号に基づき、前記第１補助動作を実行し、前記識別情報に基づき前記非操作用眼鏡装置であると識別された前記眼鏡装置は、前記第２制御信号に基づき、前記第２補助動作を実行することを特徴とする。
【００３０】
上記構成によれば、眼鏡装置は、表示装置の所定の動作を指示するための操作情報に関連する情報を視覚的に伝達する操作画像を含む第１フレーム画像及び前記操作画像を含まない第２フレーム画像のうち一方の視聴を補助する補助動作を行う。眼鏡装置の通信部は、第１フレーム画像と第２フレーム画像とを時間的に切り換えて表示させるための第１制御信号を受信した表示装置から、眼鏡装置を制御するために送信される第２制御信号を受信する。眼鏡装置が行う補助動作は、第１フレーム画像の視聴を補助する第１補助動作と第２フレーム画像の視聴を補助する第２補助動作とを含む。第１制御信号は、眼鏡装置が第１補助動作を実行するための操作用眼鏡装置であるか、眼鏡装置が第２補助動作を実行するための非操作用眼鏡であるかを識別するための識別情報を含む。識別情報に基づき操作用眼鏡装置であると識別された眼鏡装置は、第２制御信号に基づき、第１補助動作を実行する。識別情報に基づき非操作用眼鏡装置であると識別された眼鏡装置は、第２制御信号に基づき、第２補助動作を実行することを特徴とする。したがって、操作画像の表示を必要とする視聴者を選択して、操作画像を含む映像が提供される。
【発明の効果】
【００３１】
上述の如く、本発明は、操作画像の表示を必要とする視聴者を選択して、操作画像を含む映像を提供することができる映像視聴システム並びにこの映像視聴システムに用いられる表示装置、操作装置及び眼鏡装置を提供することができる。
【図面の簡単な説明】
【００３２】
【図１】第１実施形態に係る映像視聴システムの構成を概略的に示す模式図である。
【図２】図１に示される映像視聴システムの表示装置の概略的なブロック図である。
【図３】図２に示される表示装置の管理部が出力する管理リストを例示する図である。
【図４】図２に示される表示装置が表示する第１フレーム画像と第２フレーム画像とを例示する図である。
【図５】図１に示される映像視聴システムの眼鏡装置の概略的なブロック図である。
【図６】図１に示される映像視聴システムの操作装置の概略的なブロック図である。
【図７】図６に示される操作装置の表示窓の表示を例示する図である。
【図８】図５に示される眼鏡装置が行う処理を概略的に示すフローチャートである。
【図９】図２に示される表示装置が行う処理を概略的に示すフローチャートである。
【図１０】図８及び図９に示される処理により単数の可動眼鏡装置が特定されたときの表示装置及び眼鏡装置の動作を概略的に示すダイアグラムである。
【図１１】図６に示される操作装置が行う処理を概略的に示すフローチャートである。
【図１２】図９に示されるＧＵＩ処理ルーチンを概略的に示すフローチャートである。
【図１３】図８及び図９に示される処理により複数の可動眼鏡装置が特定されたときの表示装置及び眼鏡装置の動作を概略的に示すダイアグラムである。
【図１４】図８及び図９に示される処理により複数の可動眼鏡装置が特定されたときの表示装置及び眼鏡装置の動作を概略的に示すダイアグラムである。
【図１５】ＧＵＩの表示が停止されるときの表示装置及び眼鏡装置の動作を概略的に示すダイアグラムである。
【図１６】第２実施形態に係る映像視聴システムの表示装置と眼鏡装置の動作を概略的に示すダイアグラムである。
【図１７】第２実施形態に係る映像視聴システムの表示装置と眼鏡装置の動作を概略的に示すダイアグラムである。
【図１８】図１６及び図１７に示される表示装置の管理装置が出力する管理リストを例示する図である。
【図１９】第３実施形態に係る映像視聴システムの構成を概略的に示す模式図である。
【図２０】図１９に示される映像視聴システムの操作装置の概略的なブロック図である。
【図２１】図２０に示される操作装置が行う処理を概略的に示すフローチャートである。
【発明を実施するための形態】
【００３３】
以下、本発明の一実施形態に係る表示装置及び映像視聴システムが図面を参照して説明される。尚、以下に説明される実施形態において、同様の構成要素に対して同様の符号が付されている。また、説明の明瞭化のため、必要に応じて、重複する説明は省略される。図面に示される構成、配置或いは形状並びに図面に関連する記載は、単に本実施形態の原理を容易に理解させることを目的とするものであり、本発明はこれらに何ら限定されるものではない。
【００３４】
＜第１実施形態＞
（映像視聴システムの構成）
図１は、第１実施形態に係る映像視聴システムの構成を概略的に示す模式図である。図１を用いて、映像視聴システムが説明される。
【００３５】
映像視聴システム１００は、順次生成されるフレーム画像を含む映像を表示するディスプレイ２１０を備える表示装置２００と、ディスプレイ２１０に表示される映像の視聴を補助する補助動作を行う眼鏡装置３００と、表示装置２００に対して所定の動作をさせる操作装置４００と、を備える。本実施形態において、眼鏡装置３００は、第１眼鏡装置３１０と第２眼鏡装置３２０とを含む。代替的に、映像視聴システム１００は、３以上の眼鏡装置３００を備えてもよい。本実施形態において、ディスプレイ２１０は、映像を表示する表示部として例示される。操作装置４００は、例えば、テレビジョン装置やパーソナルコンピュータ用のディスプレイ装置といった表示装置を操作するためのリモートコントローラであってもよい。
【００３６】
操作装置４００は、複数のボタン４１０を備える。視聴者は、ボタン４１０を通じて、表示装置２００の所定の動作を指示するための操作情報を操作装置４００に入力することができる。本実施形態において、第１眼鏡装置３１０又は第２眼鏡装置３２０を着用した視聴者は、操作装置４００を操作し、表示装置２００に所望の動作を実行させる。後述されるように、第１眼鏡装置３１０又は第２眼鏡装置３２０を着用した視聴者による操作装置４００の操作に応じて、表示装置２００は、ディスプレイ２１０上に、操作装置４００に入力された操作情報に関連する情報を視覚的に視聴者に伝達するための操作画像（GUI: Graphical User Interface：以下、ＧＵＩと称される）を含む第１フレーム画像と、ＧＵＩを含まない第２フレーム画像とを時間的に切り換えて表示する。操作装置４００を操作した視聴者（以下、操作者と称される）が着用する眼鏡装置３００は、操作者に第１フレーム画像の視聴を許容する一方で第２フレーム画像の視聴を抑制するように光量調整を実行する。操作装置４００を操作していない視聴者（以下、非操作者と称される）が着用する眼鏡装置３００は、非操作者に第２フレーム画像の視聴を許容する一方で第１フレーム画像の視聴を抑制するように光量調整を実行する。
【００３７】
本実施形態において、表示部として例示されるディスプレイ２１０は、３次元的に知覚されるように作成された映像を表示する。代替的に、後述されるようにディスプレイ２１０は、２次元的に知覚されるように作成された映像を表示してもよい。
【００３８】
ディスプレイ２１０に表示される３次元映像は、左眼で視聴されるように作成された左眼フレーム画像と右眼で視聴されるように作成された右眼フレーム画像とを含む。眼鏡装置３００は、左眼フレーム画像が表示されている間、左眼による左眼フレーム画像の視聴を許容する一方で、右眼による左眼フレーム画像の視聴を抑制するように光量調整を実行する。また、眼鏡装置３００は、右眼フレーム画像が表示されている間、右眼による右眼フレーム画像の視聴を許容する一方で、左眼による右眼フレーム画像の視聴を抑制するように光量調整を実行する。この結果、左眼フレーム画像と右眼フレーム画像との間の視差量に起因して、視聴者は、眼鏡装置３００を通じて視聴した映像を３次元的に知覚する。
【００３９】
表示装置２００のディスプレイ２１０として、例えば、プラズマディスプレイパネル、液晶パネル、ＣＲＴや有機エレクトロルミネッセンスを用いたディスプレイが好適に用いられる。代替的に、３次元映像或いは２次元映像を表示するための映像信号に基づき、視聴者に、３次元映像或いは２次元映像を視認させることができる他のディスプレイが用いられてもよい。
【００４０】
操作装置４００は、第１送受信部４２０を備える。第１送受信部４２０は、視聴者が入力した操作情報に基づき、表示装置２００を制御するための第１制御信号を送信する。表示装置２００は、第１制御信号に基づき、上述のＧＵＩを作成並びに表示を行う。本実施形態において、第１通信部として例示される第１送受信部４２０は、送受信機能を有する通信要素である。代替的に、第１通信部は、送信機能を有する送信要素と受信機能を有する受信要素とを別々に備えてもよい。
【００４１】
表示装置２００は、操作装置４００から送信された第１制御信号を受信する第２送受信部２２０を備える。第２送受信部２２０は、第１眼鏡装置３１０及び第２眼鏡装置３２０を制御するための第２制御信号を送信する。第１眼鏡装置３１０及び第２眼鏡装置３２０は、第２制御信号に基づき、フレーム画像の表示に同期する上述の補助動作を実行する。本実施形態において、第２通信部として例示される第２送受信部２２０は、送受信機能を有する通信要素である。代替的に、第２通信部は、送信機能を有する送信要素と受信機能を有する受信要素とを別々に備えてもよい。
【００４２】
眼鏡装置３００は、表示装置２００から送信された第２制御信号を受信する第３送受信部３３０を備える。第３送受信部３３０は、眼鏡装置３００が補助動作を実行することができるか否かを表す状態情報を含む状態信号を第２送受信部２２０へ送信する。本実施形態において、状態信号は、眼鏡装置３００の補助動作のために用いられる電力を供給する電池からの給電開始を表す開始信号と、給電停止を表す停止信号とを含む。本実施形態において、第３通信部として例示される第３送受信部３３０は、送受信機能を有する通信要素である。代替的に、第３通信部は、送信機能を有する送信要素と受信機能を有する受信要素とを別々に備えてもよい。
【００４３】
視力矯正用の眼鏡と同様の形状をなす眼鏡装置３００は、映像からの光の透過量を調整する光学フィルタ部３４０を備える。光学フィルタ部３４０は、眼鏡装置３００を着用する左眼前に配設される左眼シャッタ３４１と右眼前に配設される右眼シャッタ３４２とを含む。本実施形態において、光学フィルタ部３４０は、視聴者の左眼及び右眼へ透過する光路を開閉するシャッタ素子（例えば、液晶シャッタ）を含む。代替的に、光学フィルタ部３４０として、視聴者の左眼及び右眼へ透過する光を偏光する偏光素子（例えば、液晶フィルタ）や光量を調整可能な他の光学素子が用いられてもよい。
【００４４】
以下の説明において、「左眼シャッタ３４１／右眼シャッタ３４２を開く」との用語或いはこれに類する用語は、左眼シャッタ３４１／右眼シャッタ３４２を透過する光の量が増大し、視聴者の左眼／右眼へ到達する光量が増大することを意味する。以下の説明において、「左眼シャッタ３４１／右眼シャッタ３４２を閉じる」との用語或いはこれに類する用語は、左眼シャッタ３４１／右眼シャッタ３４２を透過する光の量が減少し、視聴者の左眼／右眼へ到達する光量が減少することを意味する。尚、これらの用語は、上述の偏光素子や光量を調整可能な他の光学素子が行う光量調整動作にも適用される。
【００４５】
予めペアリングが行われた表示装置２００と眼鏡装置３００との間で、パケット通信が行われる。上述の第２制御信号は、パケット通信により、表示装置２００から眼鏡装置３００へ送信される。表示装置２００は、眼鏡装置３００のＩＰアドレスといったパケット通信に必要な情報を予め取得している。また、表示装置２００は、表示装置２００と眼鏡装置３００との間のペアリングの際に、眼鏡装置３００のＩＰアドレスといったパケット送信先に関する情報と、第１眼鏡装置３１０及び第２眼鏡装置３２０それぞれに固有に割り当てられた固有識別情報とを、一組の情報として記憶する。以下の説明において、パケット送信先に関する情報と固有識別情報とを含む一組の情報は、登録情報と称される。本実施形態において、固有識別情報は、第１眼鏡装置３１０と第２眼鏡装置３２０とを識別するための識別情報として例示される。
【００４６】
同様に、眼鏡装置３００は、表示装置２００のＩＰアドレスといったパケット通信に必要な情報を予め取得している。上述の如く、本実施形態において、表示装置２００と眼鏡装置３００との間で、パケット通信が行われる。代替的に、他の通信方式が、表示装置２００と眼鏡装置３００との間の通信に適用されてもよい。例えば、予め通信方式の設定がなされた表示装置２００と眼鏡装置３００との間で、赤外線通信が行われてもよい。
【００４７】
予めペアリングが行われた表示装置２００と操作装置４００との間で、パケット通信が行われる。上述の第１制御信号は、パケット通信により、操作装置４００から表示装置２００へ送信される。表示装置２００は、操作装置４００のＩＰアドレスといったパケット通信に必要な情報を予め取得している。同様に、操作装置４００は、表示装置２００のＩＰアドレスといったパケット通信に必要な情報を予め取得している。
【００４８】
上述の如く、本実施形態において、表示装置２００と操作装置４００との間で、パケット通信が行われる。代替的に、他の通信方式が、表示装置２００と操作装置４００との間の通信に適用されてもよい。例えば、予め通信方式の設定がなされた表示装置２００と操作装置４００との間で、赤外線通信が行われてもよい。
【００４９】
（表示装置の構成）
図２は、表示装置２００の概略的なブロック図である。図１及び図２を用いて、表示装置２００が説明される。
【００５０】
表示装置２００は、上述のディスプレイ２１０及び第２送受信部２２０に加えて、取得部２３１、再生部２３２、映像処理部２３３、送信制御部２３４、管理部２４０、第２制御部２５０及び生成部２６０を備える。
【００５１】
取得部２３１は、コンテンツデータを取得する。コンテンツデータは、例えば、ブルーレイディスクやＤＶＤディスクといった記憶媒体に格納された映像データ及び／又は音声データを含むデジタルデータ（例えば、映画やビデオ映像）であってもよい。本実施形態において、コンテンツデータは、例えば、ＭＰＥＧ（Motion Picture Experts Group）−２、ＭＰＥＧ−４やＨ２６４といった方式で符号化されている。代替的に、コンテンツデータは、インターネットを通じて提供される映像データ及び／又は音声データ、放送電波を用いて提供される映像データ及び／又は音声データ、他の適切なデータ通信方式を用いて提供される映像データ及び／又は音声データであってもよい。
【００５２】
取得部２３１は、その後、符号化されたコンテンツデータを再生部２３２へ出力する。取得部２３１として、例えば、記憶媒体からコンテンツデータを読み取るヘッド及び記憶媒体を回転させるモータとを備える再生ドライブが好適に用いられる。
【００５３】
再生部２３２は、取得部２３１から出力されたコンテンツデータに対して復号処理を行う。復号処理後、再生部２３２は、コンテンツデータを映像処理部２３３へ出力する。以下の説明において、復号処理後のコンテンツデータは、復号化データと称される。
【００５４】
映像処理部２３３は、コンテンツデータによって表現される映像及び後述される生成部２６０によって生成されるＧＵＩの表示に関する信号処理を行う。映像処理部２３３は、後述される第２制御部２５０から出力される制御信号を解析する。解析結果に基づき、映像処理部２３３は、コンテンツデータによって表現される映像及び後述される生成部２６０によって生成されるＧＵＩの表示タイミングを決定する。映像処理部２３３は、再生部２３２から出力された復号化データと、生成部２６０から出力されるＧＵＩデータとを、ディスプレイ２１０に映像として表示できる映像信号へ変換する。その後、決定された表示タイミングに合わせて、映像処理部２３３は、映像信号をディスプレイ２１０へ出力する。
【００５５】
送信制御部２３４は、第２制御部２５０から出力された制御信号に基づき、映像処理部２３３が出力する映像信号と同期する同期信号を生成する。本実施形態において、送信制御部２３４によって生成された同期信号は、上述の第２制御信号として用いられる。送信制御部２３４は、同期信号を第２送受信部２２０へ出力する。
【００５６】
眼鏡装置３００の左眼シャッタ３４１／右眼シャッタ３４２の開閉タイミングは、同期信号によって、映像処理部２３３からディスプレイ２１０への映像信号の出力タイミングに対応づけられる。映像処理部２３３が左眼フレーム画像を表示するための左眼用映像信号（以下、Ｌ信号と称される）を出力するとき、眼鏡装置３００は、同期信号に基づいて、左眼シャッタ３４１を開く一方で、右眼シャッタ３４２を閉じる。同様に、映像処理部２３３が右眼フレーム画像を表示するための右眼用映像信号（以下、Ｒ信号と称される）を出力するとき、眼鏡装置３００は、同期信号に基づいて、左眼シャッタ３４１を閉じる一方で、右眼シャッタ３４２を開く。
【００５７】
第２送受信部２２０は、送信制御部２３４から出力された同期信号を、表示装置２００と眼鏡装置３００との間の上述のペアリングによって予め定められた無線信号路を介して、眼鏡装置３００へ送信する。また、第２送受信部２２０は、表示装置２００と眼鏡装置３００との間の無線信号路を介して、眼鏡装置３００から送信された上述の開始信号及び停止信号を受信する。第２送受信部２２０は、その後、開始信号及び停止信号を管理部２４０へ出力する。
【００５８】
第２送受信部２２０は、表示装置２００と操作装置４００との間の上述のペアリングによって予め定められた無線信号路を介して伝達された第１制御信号を受信する。第２送受信部２２０は、その後、第１制御信号を第２制御部２５０へ出力する。本実施形態において、無線信号路には、IEE802.11に規定される無線ＬＡＮを用いた通信形式が適用される。代替的に、無線信号路に対して、赤外線光を用いた通信形式や表示装置２００と眼鏡装置３００／操作装置４００との間の双方向通信を可能にする他の通信形式が適用されてもよい。
【００５９】
図３は、管理部２４０が備える管理リストを例示する。図１乃至図３を用いて、表示装置２００が更に説明される。
【００６０】
管理部２４０は、第１眼鏡装置３１０及び第２眼鏡装置３２０それぞれを管理するための管理リストを第２制御部２５０へ出力する。管理リストは、第１眼鏡装置３１０及び第２眼鏡装置３２０それぞれのＩＰアドレスＩＰ１，ＩＰ２と、第１眼鏡装置３１０及び第２眼鏡装置３２０それぞれに割り当てられた固有識別情報ＩＤ１，ＩＤ２と、を含む登録情報に加えて、第１眼鏡装置３１０及び第２眼鏡装置３２０それぞれの状態情報を保持する。第２送受信部２２０が眼鏡装置３００から上述の開始信号を受信すると、管理リストの状態欄には、図３に示される如く、「給電中」であることを示すデータが入力される。その後、第２送受信部２２０が眼鏡装置３００から上述の停止信号を受信すると、管理リストの状態欄の「給電中」であることを示すデータは、「給電停止中」であることを示すデータに更新される。更にその後、第２送受信部２２０が眼鏡装置３００から開始信号を受信すると、管理リストの状態欄の「給電停止中」であることを示すデータは、「給電中」であることを示すデータに更新される。
【００６１】
第２制御部２５０は、管理リストに基づいて、制御信号を生成する。その後、第２制御部２５０は、映像処理部２３３及び送信制御部２３４に対して制御信号を出力する。この結果、視聴者は、コンテンツデータを好適に視聴することができる。操作装置４００から出力される第１制御信号により、ＧＵＩの表示が必要とされるとき、第２制御部２５０は、映像処理部２３３、送信制御部２３４及び生成部２６０に対して、制御信号を出力する。この結果、操作装置４００の操作者が装着する眼鏡装置３００のみを通じてＧＵＩが視聴可能となる。第２制御部２５０は、管理部２４０から出力された管理リストや生成部２６０から出力されたＧＵＩの表示に関する情報といった様々な情報を保持するための記憶領域（図示せず）を備える。本実施形態において、第２制御部２５０は、眼鏡装置３００からの状態信号（開始信号及び／又は停止信号）と操作装置４００からの第１制御信号とに基づき、生成部２６０、映像処理部２３３及び第２送受信部２２０を制御する制御部として例示される。
【００６２】
図４は、ディスプレイ２１０に表示される第１フレーム画像及び第２フレーム画像を例示する。図１、図２及び図４を用いて、表示装置２００が更に説明される。
【００６３】
生成部２６０は、第２制御部２５０から出力された制御信号に基づいて、ＧＵＩデータを生成する。生成部２６０は、その後、ＧＵＩデータを映像処理部２３３へ出力する。映像処理部２３３は、第２制御部２５０から出力された制御信号に基づいて、コンテンツデータに依拠する画像ＣＤＩとＧＵＩデータに依拠する画像ＧＤＩとが組み合わされた第１フレーム画像を表示するための映像信号と、ＧＵＩデータに依拠する画像ＧＤＩを含まない第２フレーム画像を表示するための映像信号とを生成する。
【００６４】
ディスプレイ２１０は、映像処理部２３３から出力される映像信号を表示する。映像処理部２３３が第１フレーム画像を表示するための映像信号と、第２フレーム画像を表示するための映像信号とを出力すると、ディスプレイ２１０は、第１フレーム画像と第２フレーム画像とを時間的に切り換えて表示する。
【００６５】
（眼鏡装置の構成）
図５は、眼鏡装置３００の概略的なブロック図である。図１及び図５を用いて、眼鏡装置３００が説明される。
【００６６】
眼鏡装置３００は、上述の第３送受信部３３０、光学フィルタ部３４０及び電池３５０に加えて、スイッチ３５５及び第３制御部３６０を備える。
【００６７】
第３送受信部３３０は、表示装置２００から送信された同期信号を、表示装置２００と眼鏡装置３００との間の上述のペアリングによって予め定められた無線信号路を介して受信する。第３送受信部３３０は、その後、同期信号を第３制御部３６０へ出力する。
【００６８】
第３送受信部３３０は、更に、第３制御部３６０から出力される開始信号及び停止信号を、表示装置２００と眼鏡装置３００との間の無線信号路を介して、表示装置２００へ送信する。本実施形態において、無線信号路には、IEE802.11に規定される無線ＬＡＮを用いた通信形式が適用される。代替的に、無線信号路に対して、赤外線光を用いた通信形式や表示装置２００と眼鏡装置３００／操作装置４００との間の双方向通信を可能にする他の通信形式が適用されてもよい。
【００６９】
第３制御部３６０は、不揮発性の記録媒体（図示せず）に記録されたプログラムにしたがって、眼鏡装置３００全体を制御する。また、第３制御部３６０は、第３送受信部３３０から出力された同期信号に基づいて、光学フィルタ部３４０を制御するための制御信号を生成する。例えば、第３制御部３６０は、同期信号に基づいて、ディスプレイ２１０にＬ信号が表示されるタイミングで、左眼シャッタ３４１を開くとともに右眼シャッタ３４２を閉じるための制御信号を生成する。同様に、第３制御部３６０は、同期信号に基づいて、ディスプレイ２１０にＲ信号が表示されるタイミングで、左眼シャッタ３４１を閉じるとともに右眼シャッタ３４２を開くための制御信号を生成する。
【００７０】
後述されるスイッチ３５５は、第３制御部３６０に開始信号及び停止信号を出力する。スイッチ３５５からの開始信号を受信した第３制御部３６０は、電池３５０からの給電が開始されるように給電回路（図示せず）を制御する。同様に、スイッチ３５５からの停止信号を受信した第３制御部３６０は、電池３５０からの給電が停止されるように給電回路を制御する。必要に応じて、電池３５０から第３制御部３６０への給電は、スイッチ３５５からの開始信号を受信可能な程度に維持されてもよい。代替的に、第３制御部３６０は、他の給電デバイスから給電されてもよい。
【００７１】
第３制御部３６０は、スイッチ３５５から出力された開始信号及び停止信号を第３送受信部３３０へ出力する。第３送受信部３３０は、上述の如く、開始信号及び停止信号を表示装置２００へ送信する。
【００７２】
眼鏡装置３００を装着した視聴者の左眼及び右眼の前方に位置する光学フィルタ部３４０は、左眼及び右眼へ透過する光の量を調整する。上述の如く、光学フィルタ部３４０は、視聴者の左眼前に配置される左眼シャッタ３４１と、右眼前に配置される右眼シャッタ３４２とを含む。光学フィルタ部３４０は、第３制御部３６０から出力される制御信号に基づいて、映像の視聴を補助する補助動作を行う。この結果、眼鏡装置３００は、視聴者に所望の光学的効果を提供することができる。
【００７３】
眼鏡装置３００の補助動作のために用いられる電力を供給する電池３５０は、第３送受信部３３０、第３制御部３６０及び光学フィルタ部３４０に給電を行う。電池３５０からの給電の開始及び停止は、上述の如く、スイッチ３５５の動作を伴って実行される第３制御部３６０の制御下で行われる。電池３５０として、例えば、一次電池や二次電池といった可搬型且つ眼鏡装置３００に内蔵される小型の電池が好適に用いられる。
【００７４】
視聴者は、電池３５０からの給電を開始或いは停止させるためにスイッチ３５５を操作する。視聴者が電池３５０からの給電を開始するためにスイッチ３５５を操作すると、スイッチ３５５は、第３制御部３６０に対して、給電を開始するための開始信号を出力する。視聴者が電池３５０からの給電を停止するためにスイッチ３５５を操作すると、スイッチ３５５は、第３制御部３６０に対して、給電を停止するための停止信号を出力する。スイッチ３５５として、例えば、視聴者によって押圧操作されるボタンスイッチが好適に用いられる。
【００７５】
（操作装置の構成）
図６は、操作装置４００の概略的なブロック図である。図１及び図６を用いて、操作装置４００が説明される。
【００７６】
操作装置４００は、上述のボタン４１０及び第１送受信部４２０に加えて、電池４３１、スイッチ４３２、第１制御部４３３、表示窓４３４及び記憶部４４０を備える。
【００７７】
記憶部４４０には、第１眼鏡装置３１０及び第２眼鏡装置３２０それぞれに固有に割り当てられた固有識別情報が予め記憶されている。記憶部４４０に記憶された固有識別情報は、第１制御部４３３によって、必要に応じて読み出される。
【００７８】
図７は、表示窓４３４の表示を例示する。図１、図６及び図７を用いて、操作装置４００が更に説明される。
【００７９】
表示窓４３４は、第１眼鏡装置３１０及び第２眼鏡装置３２０のうち一方を選択するための操作に用いられる。表示窓４３４は、例えば、図７に示されるように、映像視聴システム１００に用いられる眼鏡装置３００のリストＬとカーソルＣとを表示する。リストＬ中の各眼鏡装置３００の表示と記憶部４４０に記憶された固有識別情報は第１制御部４３３を介して関連づけられている。表示窓４３４中のカーソルＣは、視聴者によるボタン４１０に対する操作に応じて、リストＬ中の眼鏡装置３００に合わせられる。
【００８０】
視聴者は、ボタン４１０を操作し、眼鏡装置３００の選択並びに表示装置２００に対する制御を行うことができる。使用者がボタン４１０を操作し、図７に示される如く、第１眼鏡装置３１０を選択すると、ボタン４１０は、第１眼鏡装置３１０が選択されたことを表す情報を含む選択信号を第１制御部４３３へ出力する。使用者が第２眼鏡装置３２０を選択するならば、ボタン４１０は、第２眼鏡装置３２０が選択されたことを表す情報を含む選択信号を第１制御部４３３へ出力する。
【００８１】
視聴者が表示装置２００の所定の動作を指示する操作情報を入力するためにボタン４１０を操作すると、ボタン４１０は第１制御部４３３へ操作信号を出力する。ボタン４１０として、例えば、市販されるリモートコントローラが備える押圧式のボタン要素が好適に用いられる。
【００８２】
第１制御部４３３は、ボタン４１０を介して入力された操作情報が表示装置２００にＧＵＩの表示を要求する場合、記憶部４４０から選択された第１眼鏡装置３１０の固有識別情報を読み出す。読み出された固有識別情報は、第１眼鏡装置３１０と第２眼鏡装置３２０とを識別するための識別情報として用いられる。第１制御部４３３は、第１眼鏡装置３１０の固有識別情報と操作装置４００を操作した視聴者が望む表示装置２００の動作の内容を表す操作情報とを含む第１制御信号を生成する。第１制御部４３３は、その後、第１制御信号を第１送受信部４２０へ出力する。
【００８３】
第１制御部４３３は、上述の操作信号及び選択信号に対する処理に加えて、不揮発性の記憶媒体（図示せず）に記憶されたプログラムに従って、操作装置４００全体の制御を行う。第１制御部４３３は、スイッチ４３２から給電の開始を通知する開始信号を受信すると、電池４３１からの給電が開始されるように給電回路（図示せず）を制御する。同様に、スイッチ４３２からの停止信号を受信した第３制御部３６０は、電池４３１からの給電が停止されるように給電回路を制御する。必要に応じて、電池４３１から第１制御部４３３への給電は、スイッチ４３２からの開始信号を受信可能な程度に維持されてもよい。代替的に、第１制御部４３３は、他の給電デバイスから給電されてもよい。
【００８４】
電池４３１は、第１送受信部４２０、第１制御部４３３、表示窓４３４及び記憶部４４０に給電を行う。電池４３１からの給電の開始及び停止は、上述の如く、スイッチ４３２の動作を伴って実行される第１制御部４３３の制御下で行われる。電池４３１として、例えば、一次電池や二次電池といった可搬型且つ操作装置４００に内蔵される小型の電池が好適に用いられる。
【００８５】
視聴者は、電池４３１からの給電を開始或いは停止させるためにスイッチ４３２を操作する。視聴者が電池４３１からの給電を開始するためにスイッチ４３２を操作すると、スイッチ４３２は、第１制御部４３３に対して、給電を開始するための開始信号を出力する。視聴者が電池４３１からの給電を停止するためにスイッチ４３２を操作すると、スイッチ４３２は、第１制御部４３３に対して、給電を停止するための停止信号を出力する。スイッチ４３２として、例えば、視聴者によって押圧操作されるボタンスイッチが好適に用いられる。
【００８６】
（眼鏡装置と表示装置との間の連動）
図８は、眼鏡装置３００の開始信号及び停止信号の送信動作を概略的に示すフローチャートである。図１、図５及び図８を用いて、眼鏡装置３００の開始信号及び停止信号の送信動作が説明される。
【００８７】
上述の如く、視聴者が眼鏡装置３００のスイッチ３５５を操作すると、スイッチ３５５は、給電の開始を通知する開始信号を第３制御部３６０へ出力する。その後、処理工程Ｓ５１０が開始される。
【００８８】
（処理工程：Ｓ５１０）
第３制御部３６０は、スイッチ３５５からの開始信号を待機している。第３制御部３６０がスイッチ３５５からの開始信号の入力を検知すると、処理工程Ｓ５２０が開始される。尚、第３制御部３６０は、スイッチ３５５からの開始信号が入力されるまで、待機モードを維持する。
【００８９】
（処理工程：Ｓ５２０）
スイッチ３５５からの開始信号が入力された第３制御部３６０は、電池３５０から眼鏡装置３００全体に給電がなされるように給電回路を制御する。この結果、眼鏡装置３００の構成要素それぞれが所定の動作を実行する。例えば、第３送受信部３３０は、第３制御部３６０の制御下で、信号の送受信を実行可能となる。また、光学フィルタ部３４０は、第３制御部３６０の制御下で、左眼シャッタ３４１及び右眼シャッタ３４２の開閉動作を実行可能となる。電池３５０から眼鏡装置３００全体への給電開始を制御した第３制御部３６０は、第３送受信部３３０に開始信号を出力する。その後、処理工程Ｓ５３０が開始される。
【００９０】
（処理工程：Ｓ５３０）
第３送受信部３３０は、第３制御部３６０から入力された開始信号を表示装置２００へ送信する。開始信号は、例えば、IEEE802.11に規定される無線通信を用いて送信される。その後、処理工程Ｓ５４０が実行される。
【００９１】
（処理工程：Ｓ５４０）
第３制御部３６０は、スイッチ３５５からの停止信号を待機する。視聴者が眼鏡装置３００のスイッチ３５５を操作すると、スイッチ３５５は、給電の停止を通知する停止信号を第３制御部３６０へ出力する。第３制御部３６０がスイッチ３５５からの停止信号の入力を検知すると、処理工程Ｓ５５０が開始される。尚、第３制御部３６０は、スイッチ３５５からの停止信号が入力されるまで、待機モードを維持する。
【００９２】
（処理工程：Ｓ５５０）
第３送受信部３３０は、第３制御部３６０から入力された停止信号を表示装置２００へ送信する。開始信号は、例えば、IEEE802.11に規定される無線通信を用いて送信される。その後、処理工程Ｓ５６０が実行される。
【００９３】
（処理工程：Ｓ５６０）
スイッチ３５５からの停止信号が入力された第３制御部３６０は、電池３５０から眼鏡装置３００全体への給電が停止されるように給電回路を制御する。
【００９４】
上述の処理工程Ｓ５１０乃至Ｓ５６０によって送信された開始信号及び停止信号によって、表示装置２００は、視聴者による眼鏡装置３００のスイッチ３５５の操作のタイミング並びに眼鏡装置３００が補助動作を実行できるか否かを表す状態情報を取得することができる。この結果、表示装置２００は、第１眼鏡装置３１０及び第２眼鏡装置３２０のうち補助動作を実行することができる可動眼鏡装置及び／又は補助動作を実行できない不可動眼鏡装置を特定することができる。表示装置２００は、その後、可動眼鏡装置として特定された眼鏡装置３００に同期信号を送信することができる。
【００９５】
図９は、眼鏡装置３００及び操作装置４００から信号を受信した表示装置２００の処理を概略的に示すフローチャートである。図１及び図９を用いて、表示装置２００の処理が説明される。
【００９６】
（処理工程：Ｓ６１０）
上述の如く、表示装置２００の第２送受信部２２０は、眼鏡装置３００及び操作装置４００から信号を受信する。第２送受信部２２０は、例えば、IEEE802.11に規定される無線通信を介して、眼鏡装置３００又は操作装置４００からの信号を受信したか否かを検出する。第２送受信部２２０が眼鏡装置３００から送信された開始信号又は停止信号を検知したとき、処理工程Ｓ６２０が実行される。操作装置４００から送信された第１制御信号を受信したとき、ＧＵＩ処理ルーティンＲ７００が実行される。第２送受信部２２０が、所定時間、眼鏡装置３００及び操作装置４００からの信号を受信しないとき、処理工程Ｓ６３０が実行される。
【００９７】
（処理工程：Ｓ６２０）
図１乃至図３、図５、図８及び図９を用いて、処理工程Ｓ６２０が説明される。
【００９８】
図３に示される管理部２４０が有する管理リスト中の状態欄は、初期設定において、「給電停止中」とされていてもよい。図８に示される処理工程Ｓ５３０及び処理工程Ｓ５５０においてそれぞれ送信される開始信号及び停止信号は、第１眼鏡装置３１０及び第２眼鏡装置３２０それぞれに固有に割り当てられた固有識別情報を含む。
【００９９】
第１眼鏡装置３１０の第３送受信部３３０が開始信号を受信した表示装置２００の管理部２４０は、開始信号が含む固有識別情報と、管理リストに予め格納された複数の眼鏡装置３００の固有識別情報とを比較する。この結果、管理部２４０は、表示装置２００の第２送受信部２２０が受信した信号が、第１眼鏡装置３１０から送信された開始信号であると決定する。その後、管理部２４０は、管理リスト中の第１眼鏡装置３１０に対応する状態欄のデータを「給電停止中」から「給電中」へと更新する。同様に、第２眼鏡装置３２０の第３送受信部３３０が開始信号を受信した表示装置２００の管理部２４０は、開始信号が含む固有識別情報と、管理リストに予め格納された複数の眼鏡装置３００の固有識別情報とを比較する。この結果、管理部２４０は、表示装置２００の第２送受信部２２０が受信した信号が、第２眼鏡装置３２０から送信された開始信号であると決定する。その後、管理部２４０は、管理リスト中の第２眼鏡装置３２０に対応する状態欄のデータを「給電停止中」から「給電中」へと更新する。
【０１００】
第１眼鏡装置３１０の第３送受信部３３０が停止信号を受信した表示装置２００の管理部２４０は、停止信号が含む固有識別情報と、管理リストに予め格納された複数の眼鏡装置３００の固有識別情報とを比較する。この結果、管理部２４０は、表示装置２００の第２送受信部２２０が受信した信号が、第１眼鏡装置３１０から送信された停止信号であると決定する。その後、管理部２４０は、管理リスト中の第１眼鏡装置３１０に対応する状態欄のデータを「給電中」から「給電停止中」へと更新する。同様に、第２眼鏡装置３２０の第３送受信部３３０が停止信号を受信した表示装置２００の管理部２４０は、停止信号が含む固有識別情報と、管理リストに予め格納された複数の眼鏡装置３００の固有識別情報とを比較する。この結果、管理部２４０は、表示装置２００の第２送受信部２２０が受信した信号が、第２眼鏡装置３２０から送信された停止信号であると決定する。その後、管理部２４０は、管理リスト中の第２眼鏡装置３２０に対応する状態欄のデータを「給電中」から「給電停止中」へと更新する。かくして、管理部２４０は、固有識別情報を含む開始信号及び停止信号に基づき、複数の眼鏡装置３００の中から補助動作を実行することができる可動眼鏡装置と補助動作を実行することができない不可動眼鏡装置を特定することができる。
【０１０１】
管理部２４０は、更新された管理リストを第２制御部２５０へ出力する。その後、処理工程Ｓ６３０が実行される。
【０１０２】
（処理工程：Ｓ６３０）
図１０は、処理工程Ｓ６２０において管理部２４０が単数の可動眼鏡装置（第１眼鏡装置３１０）を特定したときの表示装置２００及び第１眼鏡装置３１０の動作を概略的に示す。図１乃至図３、図９及び図１０を参照しつつ、管理部２４０が単数の可動眼鏡装置を特定したときの処理工程Ｓ６３０乃至処理工程Ｓ６６０が説明される。尚、処理工程Ｓ６２０において管理部２４０が複数の可動眼鏡装置を特定したときの表示装置２００の動作は、ＧＵＩ処理ルーティンＲ７００とともに後述される。
【０１０３】
図１０（ａ）は、ディスプレイ２１０にＧＵＩが表示されないときの表示装置２００の動作を概略的に示す。図１０（ｂ）は、ディスプレイ２１０にＧＵＩが表示されるときの表示装置２００の動作を概略的に示す。
【０１０４】
図１０中のセクション（Ａ）は、ディスプレイ２１０に映像を表示するための映像信号を示す。図１０中のセクション（Ｂ）は、第２送受信部２２０から送信される同期信号を示す。図１０中のセクション（Ｃ）は、第１眼鏡装置３１０の左眼シャッタ３４１が許容する透過光量の変動を示す。図１０中のセクション（Ｄ）は、第１眼鏡装置３１０の右眼シャッタ３４２が許容する透過光量の変動を示す。
【０１０５】
第２制御部２５０は、管理部２４０から入力された管理リスト及びＧＵＩ処理ルーティンＲ７００からの出力結果に基づき、ディスプレイ２１０へのフレーム画像の表示のタイミング並びに眼鏡装置３００の左眼シャッタ３４１及び右眼シャッタ３４２の開閉タイミングを決定する。
【０１０６】
ディスプレイ２１０へ表示されるフレーム画像は、Ｌ信号又はＲ信号とＧＵＩ信号とによって表現される第１フレーム画像（図１０（ｂ）参照）と、ＧＵＩ信号を用いずにＬ信号又はＲ信号によって表現される第２フレーム画像（図１０（ａ）参照）を含む。ＧＵＩ処理ルーティンからの出力結果が、ＧＵＩの表示を要求するとき、第２制御部２５０は、第１フレーム画像が表示されるように映像処理部２３３を制御する。ＧＵＩ処理ルーティンからの出力結果が、ＧＵＩの表示を要求しないとき、第２制御部２５０は、第２フレーム画像が表示されるように映像処理部２３３を制御する。
【０１０７】
第２制御部２５０は、上述のＧＵＩの表示／非表示に関する制御に加えて、Ｌ信号によって表現される左眼フレーム画像及びＲ信号によって表現される右眼フレーム画像の表示タイミングを制御する。本実施形態において、ＧＵＩ処理ルーティンからの出力結果が、ＧＵＩの表示を要求するとき、ＧＵＩ付の左眼フレーム画像（第１フレーム画像）及びＧＵＩ付の右眼フレーム画像（第１フレーム画像）が決定されたタイミングで表示されるように第２制御部２５０は映像処理部２３３に制御信号を出力する。また、ＧＵＩ処理ルーティンからの出力結果が、ＧＵＩの表示を要求しないとき、ＧＵＩを含まない左眼フレーム画像（第２フレーム画像）及びＧＵＩを含まない右眼フレーム画像（第２フレーム画像）が決定されたタイミングで表示されるように第２制御部２５０は映像処理部２３３に制御信号を出力する。
【０１０８】
ＧＵＩ処理ルーティンからの出力結果が、ＧＵＩの表示を要求しないとき、映像処理部２３３は、第２制御部２５０からの制御信号及び再生部２３２からの映像信号に基づいて、ディスプレイ２１０に適合する映像信号を生成し、その後、生成された映像信号をディスプレイ２１０に出力する。この結果、ディスプレイ２１０は、第２フレーム画像を表示する。
【０１０９】
ＧＵＩ処理ルーティンからの出力結果が、ＧＵＩの表示を要求するとき、映像処理部２３３は、第２制御部２５０からの制御信号及び再生部２３２からの映像信号に加えて、生成部２６０からのＧＵＩ信号に基づいて、ディスプレイ２１０に適合する映像信号を生成し、その後、生成された映像信号をディスプレイ２１０に出力する。この結果、ディスプレイ２１０は、第１フレーム画像を表示する。
【０１１０】
眼鏡装置３００の左眼シャッタ３４１及び右眼シャッタ３４２の開閉タイミングを決定するために、第２制御部２５０は送信制御部２３４による同期信号の生成タイミングを制御する。管理部２４０によって可動眼鏡装置として特定された眼鏡装置３００が第１眼鏡装置３１０のみであるとき（即ち、第２眼鏡装置３２０が不可動眼鏡装置として特定されたとき）、送信制御部２３４によって生成される同期信号は、第１眼鏡装置３１０の左眼シャッタ３４１を開くためのパルス信号ＯＬ１、第１眼鏡装置３１０の左眼シャッタ３４１を閉じるためのパルス信号ＣＬ１、第１眼鏡装置３１０の右眼シャッタ３４２を開くためのパルス信号ＯＲ１及び第１眼鏡装置３１０の右眼シャッタ３４２を閉じるためのパルス信号ＣＲ１を含む。
【０１１１】
第２制御部２５０は、左眼フレーム画像の表示が開始するタイミングに合わせて、パルス信号ＯＬ１が第２送受信部２２０から送信されるように送信制御部２３４を制御する。第２制御部２５０は、左眼フレーム画像の表示が終了するタイミングに合わせて、パルス信号ＣＬ１が第２送受信部２２０から送信されるように送信制御部２３４を制御する。第２制御部２５０は、右眼フレーム画像の表示が開始するタイミングに合わせて、パルス信号ＯＲ１が第２送受信部２２０から送信されるように送信制御部２３４を制御する。第２制御部２５０は、右眼フレーム画像の表示が終了するタイミングに合わせて、パルス信号ＣＲ１が第２送受信部２２０から送信されるように送信制御部２３４を制御する。第２制御部２５０は、パルス信号ＯＬ１，ＣＬ１，ＯＲ１，ＣＲ１の送信が達成されるように、送信制御部２３４へ制御信号を出力する。その後、処理工程Ｓ６４０が実行される。
【０１１２】
（処理工程：Ｓ６４０）
送信制御部２３４は、第２制御部２５０からの制御信号に基づいて、パルス信号ＯＬ１，ＣＬ１，ＯＲ１，ＣＲ１を含む同期信号を生成する。引き続き、送信制御部２３４は、生成された同期信号を第２送受信部２２０へ出力する。その後、処理工程Ｓ６５０が実行される。
【０１１３】
（処理工程：Ｓ６５０）
第２送受信部２２０は、送信制御部２３４から出力された同期信号を眼鏡装置３００へ送信する。同期信号の送信には、例えば、IEEE802.11に規定される無線通信が用いられる。管理部２４０から出力された管理リストの状態欄によって特定される可動眼鏡装置が第１眼鏡装置３１０のみであるとき、管理リスト中に記録された第１眼鏡装置３１０のＩＰアドレスに従って、パルス信号ＯＬ１，ＣＬ１，ＯＲ１，ＣＲ１を含む同期信号を出力する。管理部２４０から出力された管理リストの状態欄によって特定される可動眼鏡装置が第２眼鏡装置３２０のみであるとき、管理リスト中に記録された第２眼鏡装置３２０のＩＰアドレスに従う送信処理を行う。管理部２４０から出力された管理リストの状態欄によって特定される可動眼鏡装置が複数であるときの送信処理は、ＧＵＩ処理ルーティンＲ７００とともに後述される。
【０１１４】
管理部２４０から出力された管理リストの状態欄によって特定される可動眼鏡装置が第１眼鏡装置３１０のみであるとき、第１眼鏡装置３１０の左眼シャッタ３４１及び右眼シャッタ３４２は、第３送受信部３３０によるパルス信号ＯＬ１，ＣＬ１，ＯＲ１，ＣＲ１の受信に応じて、開閉される。かくして、視聴者は、左眼フレーム画像と右眼フレーム画像を適切に視聴することができる。第２送受信部２２０による同期信号の送信処理の後、処理工程Ｓ６６０が実行される。
【０１１５】
（処理工程：Ｓ６６０）
第２制御部２５０は、再生部２３２から出力される映像信号に基づいて、コンテンツデータの再生が終了したか否かを判定する。コンテンツデータの再生が終了していない場合、処理工程Ｓ６１０に戻る。コンテンツデータの再生が終了した場合、表示装置２００による処理は完了する。
【０１１６】
処理工程Ｓ６１０において信号が所定時間受信されない場合、処理工程Ｓ６３０において、ＧＵＩを含まない左眼フレーム画像及び右眼フレーム画像の表示タイミングが決定される。処理工程Ｓ６４０において、決定された表示タイミングに合わせて、同期信号が生成される。処理工程Ｓ６５０において、生成された同期信号が、第１眼鏡装置３１０及び第２眼鏡装置３２０へ出力される。その後、処理工程Ｓ６６０が実行され、コンテンツデータの再生が終了した場合、表示装置２００による処理は完了する。
【０１１７】
（操作装置、表示装置及び眼鏡装置の間の連動）
図１１は、操作装置４００による第１制御信号の送信動作を概略的に示すフローチャートである。図１、図６、図７及び図１１を用いて、操作装置４００の第１制御信号の送信動作が説明される。
【０１１８】
上述の如く、視聴者が操作装置４００のスイッチ４３２を操作すると、スイッチ４３２は、給電の開始を通知する開始信号を第１制御部４３３へ出力する。その後、処理工程Ｓ８１０が開始される。
【０１１９】
（処理工程：Ｓ８１０）
第１制御部４３３は、スイッチ４３２からの開始信号を待機している。第１制御部４３３がスイッチ４３２からの開始信号の入力を検知すると、処理工程Ｓ８２０が開始される。尚、第１制御部４３３は、スイッチ４３２からの開始信号が入力されるまで、待機モードを維持する。
【０１２０】
（処理工程：Ｓ８２０）
スイッチ４３２からの開始信号が入力された第１制御部４３３は、電池４３１から操作装置４００全体に給電がなされるように給電回路を制御する。この結果、操作装置４００の構成要素それぞれが所定の動作を実行する。例えば、第１送受信部４２０は、第１制御部４３３の制御下で、信号の送受信を実行可能となる。電池４３１から操作装置４００全体への給電開始を制御した第１制御部４３３は、第１送受信部４２０に開始信号を出力する。その後、処理工程Ｓ８３０が開始される。
【０１２１】
（処理工程：Ｓ８３０）
第１制御部４３３は、スイッチ４３２からの停止信号又はボタン４１０からの操作信号を待機する。視聴者が操作装置４００のボタン４１０を操作し、例えば、第１眼鏡装置３１０を選択すると（図７参照）、ボタン４１０は第１制御部４３３へ、第１眼鏡装置３１０が選択されたことを表す選択情報を含む選択信号を第１制御部４３３へ出力する。上述の第１眼鏡装置３１０の選択を解除するように、視聴者が操作装置４００のボタン４１０を操作すると、ボタン４１０は第１制御部４３３へ、第１眼鏡装置３１０に対する選択が解除されたことを表す選択情報を含む選択信号を第１制御部４３３へ出力する。視聴者が表示装置２００に所定の動作を指示するためにボタン４１０を操作すると、ボタン４１０は表示装置２００に対して指示される操作情報を含む操作信号を第１制御部４３３へ出力する。第１制御部４３３がボタン４１０を通じて出力された選択信号又は操作信号の入力を検知すると、処理工程Ｓ８４０が実行される。本実施形態において、ボタン４１０は、複数の眼鏡装置３００の中から第１眼鏡装置３１０又は第２眼鏡装置３２０を選択するための選択部として例示される。
【０１２２】
視聴者が操作装置４００のスイッチ４３２を操作すると、スイッチ４３２は、給電の停止を通知する停止信号を第１制御部４３３へ出力する。第１制御部４３３が停止信号の入力を検知すると、処理工程Ｓ８７０が開始される。尚、第１制御部４３３は、選択信号、操作信号又は停止信号が入力されるまで、待機モードを維持する。
【０１２３】
（処理工程：Ｓ８４０）
第１制御部４３３は、ボタン４１０から信号が入力されると、第１眼鏡装置３１０又は第２眼鏡装置３２０を選択或いは当該選択を解除するための選択信号であるか、或いは、表示装置２００に対して動作を指示するための操作信号であるか、を判定する。第１制御部４３３が、ボタン４１０から入力された信号が選択信号であると判定すると、処理工程Ｓ８５０が開始される。第１制御部４３３が、ボタン４１０から入力された信号が操作信号であると判定すると、処理工程Ｓ８６０が開始される。
【０１２４】
（処理工程：Ｓ８５０）
第１制御部４３３は、選択信号が含む選択情報を解析する。選択情報が、第１眼鏡装置３１０又は第２眼鏡装置３２０の選択を表しているとき、第１制御部４３３は、選択情報を第１制御部４３３が備える不揮発性の記録媒体に保存する。選択情報が、第１眼鏡装置３１０又は第２眼鏡装置３２０に対する選択の解除を表しているとき、第１制御部４３３は、記憶媒体に保存された選択情報を消去する。その後、処理工程Ｓ８３０が再度実行される。
【０１２５】
（処理工程：Ｓ８６０）
処理工程Ｓ８５０において選択情報が保存された後、処理工程Ｓ８３０において、ボタン４１０から第１制御部４３３へ操作信号が入力されると、処理工程Ｓ８４０における判定処理の結果、処理工程Ｓ８６０が実行される。第１制御部４３３は、記録媒体に保存された選択情報、操作信号に含まれた操作情報及び記憶部４４０に予め記憶された各眼鏡装置３００の固有識別情報に基づき第１制御信号を生成する。視聴者が、例えば、第１眼鏡装置３１０を選択すると、第１制御部４３３は、第１眼鏡装置３１０に割り当てられた固有識別情報と操作情報とを含む第１制御信号を生成する。視聴者が、例えば、第２眼鏡装置３２０を選択すると、第１制御部４３３は、第２眼鏡装置３２０に割り当てられた固有識別情報と操作情報とを含む第１制御信号を生成する。
【０１２６】
操作装置４００は、視聴者に第１眼鏡装置３１０又は第２眼鏡装置３２０の選択操作が必要であることを通知する通知部を備えてもよい。通知部として、例えば、表示窓４３４を発光させる発光要素、操作装置４００を振動させる振動要素或いは操作装置４００から音声を生じさせる音声要素が適用される。この結果、第１眼鏡装置３１０又は第２眼鏡装置３２０の選択操作が視聴者に適切に促される。かくして、上述の第１制御信号の生成が好適に実行される。
【０１２７】
第１制御部４３３は、第１制御信号を第１送受信部４２０へ出力する。第１送受信部４２０は、第１制御部４３３から入力された第１制御信号を、表示装置２００へ送信する。第１制御信号は、例えば、IEEE802.11に規定される無線通信を用いて、表示装置２００へ送信される。第１制御信号の表示装置２００への送信の後、処理工程Ｓ８３０が実行される。
【０１２８】
（処理工程：Ｓ８７０）
処理工程Ｓ８７０において、第１制御部４３３に停止信号が入力されると、第１制御部４３３は電池４３１から操作装置４００全体への給電が停止されるように給電回路を制御する。
【０１２９】
処理工程Ｓ８１０乃至処理工程Ｓ８７０を通じて送信された第１制御信号によって、表示装置２００は、視聴者が選択した眼鏡装置３００の固有識別情報を取得することが可能となる。表示装置２００は、第１制御信号が含む固有識別情報に基づいて、眼鏡装置３００による補助動作を制御する。眼鏡装置３００による補助動作は、上述の第１フレーム画像の視聴を補助する第１補助動作と、上述の第２フレーム画像の視聴を補助する第２補助動作とを含む。
【０１３０】
第１制御信号が第１眼鏡装置３１０の固有識別情報を含むとき、表示装置２００は、第１眼鏡装置３１０が第１補助動作を行うための操作用眼鏡装置であることを識別するとともに第２眼鏡装置３２０が第２補助動作を行う非操作用眼鏡装置であることを識別する。表示装置２００は、ＧＵＩを含む第１フレーム画像が第１眼鏡装置３１０を装着する視聴者に視聴されるように第１眼鏡装置３１０へ同期信号を送信する。また、表示装置２００は、ＧＵＩを含まない第２フレーム画像が第２眼鏡装置３２０を装着する視聴者に視聴されるように第２眼鏡装置３２０へ同期信号を送信する。
【０１３１】
第１制御信号が第２眼鏡装置３２０の固有識別情報を含むとき、表示装置２００は、第２眼鏡装置３２０が第１補助動作を行うための操作用眼鏡装置であることを識別するとともに第１眼鏡装置３１０が第２補助動作を行う非操作用眼鏡装置であることを識別する。表示装置２００は、ＧＵＩを含む第１フレーム画像が第２眼鏡装置３２０を装着する視聴者に視聴されるように第２眼鏡装置３２０へ同期信号を送信する。また、表示装置２００は、ＧＵＩを含まない第２フレーム画像が第１眼鏡装置３１０を装着する視聴者に視聴されるように第１眼鏡装置３１０へ同期信号を送信する。
【０１３２】
図１２は、ＧＵＩ処理ルーティンＲ７００を概略的に説明するフローチャートである。図１乃至図３、図９及び図１２を用いて、ＧＵＩ処理ルーティンＲ７００が説明される。尚、以下の説明において、表示装置２００の管理部２４０が第２制御部２５０に出力する管理リスト中の状態欄において、第１眼鏡装置３１０及び第２眼鏡装置３２０はともに給電中であることが示されている。したがって、管理リストによって特定される可動眼鏡装置は複数存在している。
【０１３３】
（処理工程：Ｓ６１０）
上述の処理工程Ｓ６１０において、表示装置２００の第２送受信部２２０が操作装置４００から送信された第１制御信号を受信したとき、ＧＵＩ処理ルーティンＲ７００が実行される。第２送受信部２２０は、第１制御信号を第２制御部２５０へ出力する。その後、処理工程Ｓ７１０が実行される。
【０１３４】
（処理工程：Ｓ７１０）
表示装置２００の第２制御部２５０は、第２送受信部２２０から出力された第１制御信号が含む操作情報を解析する。第２制御部２５０は、第１制御信号の操作情報に従う動作を実現するために必要とされる信号処理を実行する。第２制御部２５０は、操作情報がＧＵＩの表示或いはディスプレイ２１０に表示されたＧＵＩの消去を要求しているか否かを解析する。第２制御部２５０が、ＧＵＩの表示或いは消去の要求を検出すると、処理工程Ｓ７２０が実行される。第２制御部２５０が、ＧＵＩの表示或いは消去の要求を検出しないとき、処理工程Ｓ７３０が実行される。
【０１３５】
（処理工程：Ｓ７２０）
ＧＵＩの表示の要求を検出した第２制御部２５０は、処理工程Ｓ６２０において管理部２４０から取得した管理リストが保持する各眼鏡装置３００の固有識別情報と、第１制御信号に含まれる固有識別情報とを比較する。上述の如く、例えば、第１眼鏡装置３１０を装着した視聴者が操作装置４００を操作し、第１眼鏡装置３１０を選択すると、第１制御信号は、第１眼鏡装置３１０に予め割り当てられた固有識別情報を含む。第２制御部２５０は、管理リストが保持する各眼鏡装置３００の固有識別情報と、第１制御信号が含む第１眼鏡装置３１０の固有識別情報とを比較し、ＧＵＩを含む第１フレーム画像の視聴を補助する操作用眼鏡装置が第１眼鏡装置３１０であることを特定する。また、管理リストによって管理される複数の眼鏡装置３００のうち第１眼鏡装置３１０以外の眼鏡装置３００（即ち、第２眼鏡装置３２０）は、第２制御部２５０によって、非操作用眼鏡装置として特定される。
【０１３６】
第１補助動作及び第２補助動作を実行する眼鏡装置３００それぞれを特定した第２制御部２５０は、第１補助動作を実行する眼鏡装置３００の固有識別情報、第１制御信号に含まれる操作情報及び操作情報によって指示されるＧＵＩの内容を表すＧＵＩ表示情報を第２制御部２５０が備える不揮発性の記録媒体に記録する。第１補助動作を実行する眼鏡装置３００の固有識別情報、第１制御信号に含まれる操作情報及び操作情報によって指示されるＧＵＩの内容を表すＧＵＩ表示情報は、以下の説明において、ＧＵＩ情報と称される。
【０１３７】
ＧＵＩの表示の要求を検出した第２制御部２５０は、第２制御部２５０が備える不揮発性の記録媒体に記録されたＧＵＩ情報を消去する。ＧＵＩ情報の記録又は消去の後、処理工程Ｓ７３０が実行される。
【０１３８】
（処理工程：Ｓ７３０）
第２制御部２５０は、記録媒体中の記録内容に基づいて、ＧＵＩの表示が必要か否かを判定する。記録媒体中の記録内容がＧＵＩ情報を含むとき、第２制御部２５０は、ＧＵＩの表示が必要であると判定する。ＧＵＩの表示が必要であると判定した第２制御部２５０は、ＧＵＩ情報を生成部２６０へ出力する。その後、処理工程Ｓ７４０が実行される。記録媒体中の記録内容からＧＵＩ情報が消去されているとき或いは記録媒体中の記録内容がＧＵＩ情報を含まないとき、第２制御部２５０は、ＧＵＩの表示が不要であると判定する。第２制御部２５０が、ＧＵＩの表示が不要であると判定すると、上述の処理工程Ｓ６３０が実行される。
【０１３９】
（処理工程：Ｓ７４０）
生成部２６０は、第２制御部２５０から出力されたＧＵＩ情報に基づき、ＧＵＩ信号を生成する。その後、処理工程Ｓ７５０が実行される。
【０１４０】
（処理工程：Ｓ７５０）
生成部２６０は、生成されたＧＵＩ信号を映像処理部２３３へ出力する。その後、上述の処理工程Ｓ６３０が実行される。
【０１４１】
（処理工程Ｓ６３０以降の処理）
図１３及び図１４は、処理工程Ｓ７５０の後の表示装置２００及び眼鏡装置３００の動作を概略的に示す。尚、以下の処理工程Ｓ６３０に関する説明において、表示装置２００の管理部２４０は複数の可動眼鏡装置を特定している。尚、管理部２４０が単数の可動眼鏡装置を特定しているならば、表示装置２００は、処理工程Ｓ７５０の後の処理工程Ｓ６３０以降の処理工程において、図１０に関連して説明された動作を実行する。図１乃至図３、図１０及び図１２乃至図１４を用いて、処理工程Ｓ７５０の後の処理工程Ｓ６３０以降の処理が説明される。
【０１４２】
図１３は、上述の処理工程Ｓ７３０において、第２制御部２５０がＧＵＩの表示が不要であると判定したときの表示装置２００の動作を概略的に示す。図１４は、上述の処理工程Ｓ７３０において、第２制御部２５０がＧＵＩの表示が必要であると判定したときの表示装置２００の動作を概略的に示す。
【０１４３】
図１３及び図１４中のセクション（Ａ）は、ディスプレイ２１０に映像を表示するための映像信号を示す。図１３及び図１４中のセクション（Ｂ）は、第２送受信部２２０から送信される同期信号を示す。図１３及び図１４中のセクション（Ｃ）は、第１眼鏡装置３１０の左眼シャッタ３４１が許容する透過光量の変動を示す。図１３及び図１４中のセクション（Ｄ）は、第１眼鏡装置３１０の右眼シャッタ３４２が許容する透過光量の変動を示す。図１３及び図１４中のセクション（Ｅ）は、第２眼鏡装置３２０の左眼シャッタ３４１が許容する透過光量の変動を示す。図１３及び図１４中のセクション（Ｆ）は、第２眼鏡装置３２０の右眼シャッタ３４２が許容する透過光量の変動を示す。
【０１４４】
本実施形態において、第１眼鏡装置３１０及び第２眼鏡装置３２０が表示装置２００から送信される同期信号に基づき、透過光量の調整を行う。代替的に、３以上の眼鏡装置３００が表示装置２００から送信される同期信号に基づき、透過光量の調整を行ってもよい。本実施形態において、第１眼鏡装置３１０が操作用眼鏡装置として特定され、第２眼鏡装置３２０が非操作用眼鏡装置として特定されている。３以上の眼鏡装置３００が用いられる場合には、操作装置４００からの第１制御信号に含まれる固有識別情報に対応する固有識別情報を用いて管理される眼鏡装置３００が操作用眼鏡装置として特定され、管理リスト中の他の眼鏡装置３００が非操作用眼鏡装置として特定されてもよい。
【０１４５】
処理工程Ｓ７３０においてＧＵＩの表示が不要であると判定した第２制御部２５０から制御信号を入力された映像処理部２３３は、Ｌ信号とＲ信号とを交互に生成する。図１３には、「Ｊ」番目に生成される左眼フレーム画像を表現するためのＬ信号、「Ｊ」番目に生成される右眼フレーム画像を表現するためのＲ信号、「Ｊ＋１」番目に生成される左眼フレーム画像を表現するためのＬ信号、「Ｊ＋１」番目に生成される右眼フレーム画像を表現するためのＲ信号、「Ｊ＋２」番目に生成される左眼フレーム画像を表現するためのＬ信号及び「Ｊ＋２」番目に生成される右眼フレーム画像を表現するためのＲ信号の順次の生成が示されている。
【０１４６】
処理工程Ｓ７３０においてＧＵＩの表示が不要であると判定した第２制御部２５０から制御信号を入力された送信制御部２３４は、第１眼鏡装置３１０及び第２眼鏡装置３２０それぞれの左眼シャッタ３４１及び右眼シャッタ３４２を開閉させるための同期信号を生成する。生成された同期信号は、第１眼鏡装置３１０及び第２眼鏡装置３２０それぞれの左眼シャッタ３４１を開くためのパルス信号ＯＬ、第１眼鏡装置３１０及び第２眼鏡装置３２０それぞれの左眼シャッタ３４１を閉じるためのパルス信号ＣＬ、第１眼鏡装置３１０及び第２眼鏡装置３２０それぞれの右眼シャッタ３４２を開くためのパルス信号ＯＲ及び第１眼鏡装置３１０及び第２眼鏡装置３２０それぞれの右眼シャッタ３４２を閉じるためのパルス信号ＣＲを含む。
【０１４７】
第２制御部２５０は、左眼フレーム画像の表示が開始するタイミングに合わせて、パルス信号ＯＬが第２送受信部２２０から送信されるように送信制御部２３４を制御する。第２制御部２５０は、左眼フレーム画像の表示が終了するタイミングに合わせて、パルス信号ＣＬが第２送受信部２２０から送信されるように送信制御部２３４を制御する。第２制御部２５０は、右眼フレーム画像の表示が開始するタイミングに合わせて、パルス信号ＯＲが第２送受信部２２０から送信されるように送信制御部２３４を制御する。第２制御部２５０は、右眼フレーム画像の表示が終了するタイミングに合わせて、パルス信号ＣＲが第２送受信部２２０から送信されるように送信制御部２３４を制御する。
【０１４８】
第１眼鏡装置３１０及び第２眼鏡装置３２０それぞれの第３送受信部３３０がパルス信号ＯＬを受信すると、第１眼鏡装置３１０及び第２眼鏡装置３２０それぞれの左眼シャッタ３４１が開く。第１眼鏡装置３１０及び第２眼鏡装置３２０それぞれの第３送受信部３３０がパルス信号ＣＬを受信すると、第１眼鏡装置３１０及び第２眼鏡装置３２０それぞれの左眼シャッタ３４１が閉じる。第１眼鏡装置３１０及び第２眼鏡装置３２０それぞれの第３送受信部３３０がパルス信号ＯＲを受信すると、第１眼鏡装置３１０及び第２眼鏡装置３２０それぞれの右眼シャッタ３４２が開く。第１眼鏡装置３１０及び第２眼鏡装置３２０それぞれの第３送受信部３３０がパルス信号ＣＲを受信すると、第１眼鏡装置３１０及び第２眼鏡装置３２０それぞれの右眼シャッタ３４２が閉じる。かくして、図１３のセクション（Ｃ）乃至（Ｆ）に示される如く、第１眼鏡装置３１０及び第２眼鏡装置３２０間で同期した光量調整動作が達成される。
【０１４９】
第１眼鏡装置３１０及び第２眼鏡装置３２０間で同期した光量調整動作を通じて、第１眼鏡装置３１０を装着した視聴者及び第２眼鏡装置３２０を装着した視聴者はともに、同一のＬ信号によって表現された左眼フレーム画像を左眼で視聴し、同一のＲ信号によって表現された右眼フレーム画像を右眼で視聴することができる。左眼フレーム画像と右眼フレーム画像との間で設定された視差量に起因して、両視聴者は３次元的に映像を知覚することができる。
【０１５０】
処理工程Ｓ７３０においてＧＵＩの表示が必要であると判定した第２制御部２５０から制御信号を入力された映像処理部２３３は、ＧＵＩ付きの左眼フレーム画像を表現するための映像信号とＧＵＩ付きの右眼フレーム画像を表現するための映像信号とを含む映像信号組と、ＧＵＩを含まない左眼フレーム画像を表現するための映像信号とＧＵＩを含まない右眼フレーム画像を表現するための映像信号とを含む映像信号組と、を時間的に切り換えて生成する。
【０１５１】
ＧＵＩ付きの左眼フレーム画像を表現するための映像信号は、左眼で視聴されるように作成された第１フレーム画像を表現する。ＧＵＩ付きの右眼フレーム画像を表現するための映像信号は、右眼で視聴されるように作成された第１フレーム画像を表現する。ＧＵＩを含まない左眼フレーム画像を表現するための映像信号は、左眼で視聴されるように作成された第２フレーム画像を表現する。ＧＵＩを含まない右眼フレーム画像を表現するための映像信号は、右眼で視聴されるように作成された第２フレーム画像を表現する。したがって、本実施形態において、一対の第１フレーム画像及び一対の第２フレーム画像がディスプレイ２１０上で時間的に切り換えて表示される。
【０１５２】
処理工程Ｓ７３０においてＧＵＩの表示が必要であると判定した第２制御部２５０から制御信号を入力された送信制御部２３４は、第１眼鏡装置３１０に第１フレーム画像の視聴を補助する第１補助動作を実行させるための第１同期信号と、第２眼鏡装置３２０に第２フレーム画像の視聴を補助する第２補助動作を実行させるための第２同期信号とを生成する。
【０１５３】
第２制御部２５０は、操作装置４００から送信された第１制御信号が含む固有識別情報（操作者が装着する第１眼鏡装置３１０の固有識別情報）に対応する固有識別情報を管理部２４０から出力された管理リストから特定する。管理リスト特定された固有識別情報とともに登録情報を構成するＩＰアドレスに第１同期信号が送信されるように、第２制御部２５０は送信制御部２３４を制御する。また、管理リスト中の他の可動眼鏡装置（第２眼鏡装置３２０）に対して割り当てられたＩＰアドレスに第２同期信号が送信されるように、第２制御部２５０は送信制御部２３４を制御する。この結果、第２送受信部２２０は、各眼鏡装置３００に割り当てられた固有識別情報に基づき、第１同期信号を第１眼鏡装置３１０に送信し、第２同期信号を第２眼鏡装置３２０へ送信する。
【０１５４】
第１同期信号は、第１眼鏡装置３１０の左眼シャッタ３４１を開くためのパルス信号ＯＬ１、第１眼鏡装置３１０の左眼シャッタ３４１を閉じるためのパルス信号ＣＬ１、第１眼鏡装置３１０の右眼シャッタ３４２を開くためのパルス信号ＯＲ１及び第１眼鏡装置３１０の右眼シャッタ３４２を閉じるためのパルス信号ＣＲ１を含む。尚、第２眼鏡装置３２０は、パルス信号ＯＬ１，ＣＬ１，ＯＲ１，ＣＲ１に対して反応しないように形成されている。
【０１５５】
第２同期信号は、第２眼鏡装置３２０の左眼シャッタ３４１を開くためのパルス信号ＯＬ２、第２眼鏡装置３２０の左眼シャッタ３４１を閉じるためのパルス信号ＣＬ２、第２眼鏡装置３２０の右眼シャッタ３４２を開くためのパルス信号ＯＲ２及び第２眼鏡装置３２０の右眼シャッタ３４２を閉じるためのパルス信号ＣＲ２を含む。尚、第１眼鏡装置３１０は、パルス信号ＯＬ２，ＣＬ２，ＯＲ２，ＣＲ２に対して反応しないように形成されている。
【０１５６】
第２制御部２５０は、左眼で視聴されるように作成された第１フレーム画像の表示が開始するタイミングに合わせて、パルス信号ＯＬ１が第２送受信部２２０から送信されるように送信制御部２３４を制御する。第２制御部２５０は、左眼で視聴されるように作成された第１フレーム画像の表示が終了するタイミングに合わせて、パルス信号ＣＬ１が第２送受信部２２０から送信されるように送信制御部２３４を制御する。第２制御部２５０は、右眼で視聴されるように作成された第１フレーム画像の表示が開始するタイミングに合わせて、パルス信号ＯＲ１が第２送受信部２２０から送信されるように送信制御部２３４を制御する。第２制御部２５０は、右眼で視聴されるように作成された第１フレーム画像の表示が終了するタイミングに合わせて、パルス信号ＣＲ１が第２送受信部２２０から送信されるように送信制御部２３４を制御する。
【０１５７】
第２制御部２５０は、左眼で視聴されるように作成された第２フレーム画像の表示が開始するタイミングに合わせて、パルス信号ＯＬ２が第２送受信部２２０から送信されるように送信制御部２３４を制御する。第２制御部２５０は、左眼で視聴されるように作成された第２フレーム画像の表示が終了するタイミングに合わせて、パルス信号ＣＬ２が第２送受信部２２０から送信されるように送信制御部２３４を制御する。第２制御部２５０は、右眼で視聴されるように作成された第２フレーム画像の表示が開始するタイミングに合わせて、パルス信号ＯＲ２が第２送受信部２２０から送信されるように送信制御部２３４を制御する。第２制御部２５０は、右眼で視聴されるように作成された第２フレーム画像の表示が終了するタイミングに合わせて、パルス信号ＣＲ２が第２送受信部２２０から送信されるように送信制御部２３４を制御する。
【０１５８】
第１眼鏡装置３１０の第３送受信部３３０がパルス信号ＯＬ１を受信すると、第１眼鏡装置３１０の左眼シャッタ３４１が開く。第１眼鏡装置３１０の第３送受信部３３０がパルス信号ＣＬ１を受信すると、第１眼鏡装置３１０の左眼シャッタ３４１が閉じる。第１眼鏡装置３１０の第３送受信部３３０がパルス信号ＯＲ１を受信すると、第１眼鏡装置３１０の右眼シャッタ３４２が開く。第１眼鏡装置３１０の第３送受信部３３０がパルス信号ＣＲ１を受信すると、第１眼鏡装置３１０右眼シャッタ３４２が閉じる。かくして、図１４のセクション（Ｃ）及び（Ｄ）に示される如く、第１同期信号によって、第１眼鏡装置３１０の第１補助動作は、第１フレーム画像の表示に対して適切に同期制御される。
【０１５９】
第１フレーム画像の表示に同期した第１補助動作を通じて、第１眼鏡装置３１０を装着した視聴者（即ち、非操作者）は、左眼用の第１フレーム画像を左眼で視聴し、右眼用の第１フレーム画像を右眼で視聴する。かくして、第１眼鏡装置３１０を装着した視聴者は、ＧＵＩを視聴しつつ、再生部２３２から出力されたＬ信号及びＲ信号によって表現される映像を３次元的に知覚することができる。一方、上述の如く、第２眼鏡装置３２０は、パルス信号ＯＬ１，ＣＬ１，ＯＲ１，ＣＲ１に対して反応しないので、第１フレーム画像が表示されている間、第２眼鏡装置３２０は、光学フィルタ部３４０を透過する光量を低いレベルに維持する。かくして、第２眼鏡装置３２０を装着した視聴者（即ち、操作装置４００を操作していない視聴者）によるＧＵＩ付きのフレーム画像の視聴が適切に抑制される。
【０１６０】
第２眼鏡装置３２０の第３送受信部３３０がパルス信号ＯＬ２を受信すると、第２眼鏡装置３２０の左眼シャッタ３４１が開く。第２眼鏡装置３２０の第３送受信部３３０がパルス信号ＣＬ２を受信すると、第２眼鏡装置３２０の左眼シャッタ３４１が閉じる。第２眼鏡装置３２０の第３送受信部３３０がパルス信号ＯＲ２を受信すると、第２眼鏡装置３２０の右眼シャッタ３４２が開く。第２眼鏡装置３２０の第３送受信部３３０がパルス信号ＣＲ２を受信すると、第２眼鏡装置３２０右眼シャッタ３４２が閉じる。かくして、図１４のセクション（Ｅ）及び（Ｆ）に示される如く、第２同期信号によって、第２眼鏡装置３２０の第２補助動作は、第２フレーム画像の表示に対して適切に同期制御される。
【０１６１】
第２フレーム画像の表示に同期した第２補助動作を通じて、第２眼鏡装置３２０を装着した視聴者（即ち、操作装置４００を操作していない視聴者）は、左眼用の第２フレーム画像を左眼で視聴し、右眼用の第２フレーム画像を右眼で視聴する。かくして、第２眼鏡装置３２０を装着した視聴者は、ＧＵＩを視聴することなく、再生部２３２から出力されたＬ信号及びＲ信号によって表現される映像を３次元的に知覚することができる。一方、上述の如く、第１眼鏡装置３１０は、パルス信号ＯＬ２，ＣＬ２，ＯＲ２，ＣＲ２に対して反応しないので、第２フレーム画像が表示されている間、第１眼鏡装置３１０は、光学フィルタ部３４０を透過する光量を低いレベルに維持する。かくして、第１眼鏡装置３１０を装着した視聴者（即ち、操作装置４００を操作した視聴者）によるＧＵＩを含まないフレーム画像の視聴が適切に抑制される。
【０１６２】
上述の如く、管理部２４０が複数の可動眼鏡装置を特定し、且つ、第２送受信部２２０が第１制御信号を操作装置４００から受信すると、第１眼鏡装置３１０と第２眼鏡装置３２０とをそれぞれ独立して制御するための第１同期信号及び第２同期信号が生成並びに送信される。第１同期信号に従う第１補助動作及び第２同期信号に従う第２補助動作の下、視聴者はディスプレイ２１０に表示される３次元映像を好適に視聴することができる。
【０１６３】
図１０のセクション（Ａ）と、図１４のセクション（Ａ）とが比較される。管理部２４０は、眼鏡装置３００から送信された開始信号及び停止信号に基づき、映像の視聴を補助する補助動作を実行することができる可動眼鏡装置の数を特定することができる。単数の可動眼鏡装置が特定されたとき、且つ、操作装置４００からの第１制御信号を受信しないとき、再生部２３２からのＬ信号又はＲ信号のみによって表現されるフレーム画像を連続的に表示する。単数の可動眼鏡装置が特定されたとき、且つ、操作装置４００からの第１制御信号を受信しないとき、ＧＵＩ付きのフレーム画像を連続的に表示する。したがって、本実施形態において、可動眼鏡装置の数に応じて、表示装置２００の挙動は適切に調整される。
【０１６４】
図１５は、処理工程Ｓ７１０において、第２制御部２５０がＧＵＩの消去の要求を検出したときの、表示装置２００及び眼鏡装置３００の動作を概略的に示す。図１乃至図３及び図１２乃至図１５を用いて、ＧＵＩの消去を伴う表示装置２００及び眼鏡装置３００の動作が説明される。
【０１６５】
図１５中のセクション（Ａ）は、ディスプレイ２１０に映像を表示するための映像信号を示す。図１５中のセクション（Ｂ）は、第２送受信部２２０から送信される同期信号を示す。図１５中のセクション（Ｃ）は、第１眼鏡装置３１０の左眼シャッタ３４１が許容する透過光量の変動を示す。図１５中のセクション（Ｄ）は、第１眼鏡装置３１０の右眼シャッタ３４２が許容する透過光量の変動を示す。図１５中のセクション（Ｅ）は、第２眼鏡装置３２０の左眼シャッタ３４１が許容する透過光量の変動を示す。図１５中のセクション（Ｆ）は、第２眼鏡装置３２０の右眼シャッタ３４２が許容する透過光量の変動を示す。
【０１６６】
本実施形態において、第１眼鏡装置３１０及び第２眼鏡装置３２０が表示装置２００から送信される同期信号に基づき、透過光量の調整を行う。代替的に、３以上の眼鏡装置３００が表示装置２００から送信される同期信号に基づき、透過光量の調整を行ってもよい。
【０１６７】
図１５に示される時刻「Ｔ」前において、第１眼鏡装置３１０が第１補助動作を行う眼鏡装置３００として特定され、第２眼鏡装置３２０が第２補助動作を行う眼鏡装置３００として特定されている。したがって、図１４に関連して説明された如く、第１眼鏡装置３１０を装着した視聴者は、左眼用の第１フレーム画像を左眼で視聴し、右眼用の第１フレーム画像を右眼で視聴する。この結果、第１眼鏡装置３１０を装着した視聴者は、ＧＵＩ付きの映像を立体的に知覚する。また、第２眼鏡装置３２０を装着した視聴者は、左眼用の第２フレーム画像を左眼で視聴し、右眼用の第２フレーム画像を右眼で視聴する。この結果、第２眼鏡装置３２０を装着した視聴者は、ＧＵＩを含まない映像を立体的に知覚する。尚、３以上の眼鏡装置３００が用いられる場合には、操作装置４００からの第１制御信号に含まれる固有識別情報に対応する固有識別情報を用いて管理される眼鏡装置３００が第１補助動作を実行し、管理リスト中の他の眼鏡装置３００が第２補助動作を実行してもよい。
【０１６８】
時刻「Ｔ」において、第１眼鏡装置３１０を着用する視聴者が操作装置４００を操作し、第１眼鏡装置３１０を通じて視聴されるＧＵＩが消去される。したがって、時刻「Ｔ」前において、図１４に関連する説明と同様に、一対の第１フレーム画像及び一対の第２フレーム画像がディスプレイ２１０上で時間的に切り換えて表示されるように、第２制御部２５０は、送信制御部２３４へ制御信号を出力する。時刻「Ｔ」後において、図１３に関連する説明と同様に、ＧＵＩを含まない左眼フレーム画像及びＧＵＩを含まない右眼フレーム画像が交互に表示されるように、第２制御部２５０は、送信制御部２３４へ制御信号を出力する。
【０１６９】
時刻「Ｔ」前において、第２制御部２５０から制御信号を入力された送信制御部２３４は、第１眼鏡装置３１０に第１フレーム画像の視聴を補助する第１補助動作を実行させるための第１同期信号と、第２眼鏡装置３２０に第２フレーム画像の視聴を補助する第２補助動作を実行させるための第２同期信号とを生成する。
【０１７０】
図１４に関連する説明と同様に、第１同期信号は、第１眼鏡装置３１０の左眼シャッタ３４１を開くためのパルス信号ＯＬ１、第１眼鏡装置３１０の左眼シャッタ３４１を閉じるためのパルス信号ＣＬ１、第１眼鏡装置３１０の右眼シャッタ３４２を開くためのパルス信号ＯＲ１及び第１眼鏡装置３１０の右眼シャッタ３４２を閉じるためのパルス信号ＣＲ１を含む。尚、第２眼鏡装置３２０は、パルス信号ＯＬ１，ＣＬ１，ＯＲ１，ＣＲ１に対して反応しないように形成されている。パルス信号ＯＬ１，ＣＬ１，ＯＲ１，ＣＲ１の送信タイミング並びにパルス信号ＯＬ１，ＣＬ１，ＯＲ１，ＣＲ１に対応する第１眼鏡装置３１０の光学フィルタ部３４０の動作は、図１４に関連する説明に従う。
【０１７１】
図１４に関連する説明と同様に、第２同期信号は、第２眼鏡装置３２０の左眼シャッタ３４１を開くためのパルス信号ＯＬ２、第２眼鏡装置３２０の左眼シャッタ３４１を閉じるためのパルス信号ＣＬ２、第２眼鏡装置３２０の右眼シャッタ３４２を開くためのパルス信号ＯＲ２及び第２眼鏡装置３２０の右眼シャッタ３４２を閉じるためのパルス信号ＣＲ２を含む。尚、第１眼鏡装置３１０は、パルス信号ＯＬ２，ＣＬ２，ＯＲ２，ＣＲ２に対して反応しないように形成されている。パルス信号ＯＬ２，ＣＬ２，ＯＲ２，ＣＲ２の送信タイミング並びにパルス信号ＯＬ２，ＣＬ２，ＯＲ２，ＣＲ２に対応する第２眼鏡装置３２０の光学フィルタ部３４０の動作は、図１４に関連する説明に従う。
【０１７２】
時刻「Ｔ」後において、第２制御部２５０から制御信号を入力された送信制御部２３４は、図１３に関連する説明と同様に、第１眼鏡装置３１０及び第２眼鏡装置３２０に共通して用いられる同期信号を生成する。時刻「Ｔ」後に生成される同期信号は、第１眼鏡装置３１０及び第２眼鏡装置３２０それぞれの左眼シャッタ３４１を開くためのパルス信号ＯＬ、第１眼鏡装置３１０及び第２眼鏡装置３２０それぞれの左眼シャッタ３４１を閉じるためのパルス信号ＣＬ、第１眼鏡装置３１０及び第２眼鏡装置３２０それぞれの右眼シャッタ３４２を開くためのパルス信号ＯＲ及び第１眼鏡装置３１０及び第２眼鏡装置３２０それぞれの右眼シャッタ３４２を閉じるためのパルス信号ＣＲを含む。パルス信号ＯＬ，ＣＬ，ＯＲ，ＣＲの送信タイミング並びにパルス信号ＯＬ，ＣＬ，ＯＲ，ＣＲに対応する第１眼鏡装置３１０及び第２眼鏡装置３２０の光学フィルタ部３４０の動作は、図１３に関連する説明に従う。
【０１７３】
時刻「Ｔ」前において、第１フレーム画像の表示に同期した第１補助動作を通じて、第１眼鏡装置３１０を装着した視聴者（即ち、操作者）は、左眼用の第１フレーム画像を左眼で視聴し、右眼用の第１フレーム画像を右眼で視聴する。かくして、第１眼鏡装置３１０を装着した視聴者は、ＧＵＩを視聴しつつ、再生部２３２から出力されたＬ信号及びＲ信号によって表現される映像を３次元的に知覚することができる。一方、上述の如く、第２眼鏡装置３２０は、パルス信号ＯＬ１，ＣＬ１，ＯＲ１，ＣＲ１に対して反応しないので、第１フレーム画像が表示されている間、第２眼鏡装置３２０は、光学フィルタ部３４０を透過する光量を低いレベルに維持する。かくして、第２眼鏡装置３２０を装着した視聴者（即ち、非操作者）によるＧＵＩ付きのフレーム画像の視聴が適切に抑制される。
【０１７４】
時刻「Ｔ」前において、第２フレーム画像の表示に同期した第２補助動作を通じて、第２眼鏡装置３２０を装着した視聴者（即ち、非操作者）は、左眼用の第２フレーム画像を左眼で視聴し、右眼用の第２フレーム画像を右眼で視聴する。かくして、第２眼鏡装置３２０を装着した視聴者は、ＧＵＩを視聴することなく、再生部２３２から出力されたＬ信号及びＲ信号によって表現される映像を３次元的に知覚することができる。一方、上述の如く、第１眼鏡装置３１０は、パルス信号ＯＬ２，ＣＬ２，ＯＲ２，ＣＲ２に対して反応しないので、第２フレーム画像が表示されている間、第１眼鏡装置３１０は、光学フィルタ部３４０を透過する光量を低いレベルに維持する。かくして、第１眼鏡装置３１０を装着した視聴者（即ち、操作者）によるＧＵＩを含まないフレーム画像の視聴が適切に抑制される。
【０１７５】
時刻「Ｔ」後において、第１眼鏡装置３１０及び第２眼鏡装置３２０間で同期した光量調整動作を通じて、第１眼鏡装置３１０を装着した視聴者及び第２眼鏡装置３２０を装着した視聴者はともに、同一のＬ信号によって表現された左眼フレーム画像を左眼で視聴し、同一のＲ信号によって表現された右眼フレーム画像を右眼で視聴することができる。
【０１７６】
＜第２実施形態＞
第１実施形態の原理は、３次元映像を表示する表示装置２００のみならず、２次元映像を表示する表示装置２００にも好適に適用される。以下、第１実施形態との相違点が説明される。尚、第１実施形態との相違点以外の構成或いは特徴に関する説明は、第２実施形態の映像視聴システム１００にも同様に援用される。図１、図２、図５及び図６に関連して説明された映像視聴システム１００の構成並びに図８、図９、図１１及び図１２に関連して説明された信号処理のフローチャートは、第２実施形態の説明に援用される。
【０１７７】
図１６及び図１７は、３次元映像及び２次元映像を表示する表示装置２００、表示装置２００によって表示される２次元映像を視聴するために用いられる第１眼鏡装置３１０及び表示装置２００によって表示される３次元映像を視聴するために用いられる第２眼鏡装置３２０の動作を概略的に示す。図１８は、管理部２４０が第２制御部２５０へ出力される管理リストを例示する。図１、図２、図１６乃至図１８を用いて、表示装置２００の動作及び眼鏡装置３００の動作が説明される。以下の説明において、異なる内容を表す２つのコンテンツデータが第１眼鏡装置３１０及び第２眼鏡装置３２０を通じて視聴される。第１眼鏡装置３１０を通じて視聴されるフレーム画像は、第１のコンテンツデータに基づき表示される第１画像として例示される。また、第２眼鏡装置３２０を通じて視聴されるフレーム画像は、第２のコンテンツデータに基づき表示される第２画像として例示される。代替的に、３以上の異なる内容を表すコンテンツデータが３以上の眼鏡装置３００を用いて視聴されてもよい。
【０１７８】
図１８に示される管理リストは、各眼鏡装置３００を通じて視聴される映像を管理するための「同期画像」欄を含む。視聴者は、例えば、操作装置４００を通じて、「同期画像」欄にデータを入力してもよい。例えば、操作装置４００が第１眼鏡装置３１０及び第２眼鏡装置３２０の固有識別情報を含む入力信号を表示装置２００へ送信することによって、図１８に示される如く、表示装置２００と眼鏡装置３００との間のペアリング操作の間に管理リストに入力された眼鏡装置３００の固有識別情報と入力信号が含む固有識別情報とに従って、例えば、図１８に示される管理リストの如く、各眼鏡装置３００に対応する画像を示すデータが入力される。図１８の管理リスト中、第１眼鏡装置３１０に対応する「同期信号」欄には、「第１画像」が第１眼鏡装置３１０によって視聴される画像であることを表すデータが入力されている。また、第２眼鏡装置３２０に対応する「同期信号」欄には、「第２画像」が第２眼鏡装置３２０によって視聴される画像であることを表すデータが入力されている。
【０１７９】
管理部２４０から出力された管理リストに基づいて、第２制御部２５０は送信制御部２３４を制御する。送信制御部２５０は、第１眼鏡装置３１０に、第１画像の視聴を補助する補助動作を実行させるとともに、第２眼鏡装置３２０に、第２画像の視聴を補助する補助動作を実行させるための第２制御信号を生成する。
【０１８０】
図１６は、上述の処理工程Ｓ７３０において、第２制御部２５０がＧＵＩの表示が不要であると判定したときの表示装置２００の動作を概略的に示す。図１７は、上述の処理工程Ｓ７３０において、第２制御部２５０がＧＵＩの表示が必要であると判定したときの表示装置２００の動作を概略的に示す。尚、本実施形態において、第１眼鏡装置３１０を装着する視聴者が操作装置４００を操作している。
【０１８１】
図１６及び図１７中のセクション（Ａ）は、ディスプレイ２１０に映像を表示するための映像信号を示す。図１６及び図１７中のセクション（Ｂ）は、第２送受信部２２０から送信される同期信号を示す。図１６及び図１７中のセクション（Ｃ）は、第１眼鏡装置３１０の左眼シャッタ３４１が許容する透過光量の変動を示す。図１６及び図１７中のセクション（Ｄ）は、第１眼鏡装置３１０の右眼シャッタ３４２が許容する透過光量の変動を示す。図１６及び図１７中のセクション（Ｅ）は、第２眼鏡装置３２０の左眼シャッタ３４１が許容する透過光量の変動を示す。図１６及び図１７中のセクション（Ｆ）は、第２眼鏡装置３２０の右眼シャッタ３４２が許容する透過光量の変動を示す。
【０１８２】
再生部２３２は、視聴者に３次元的に内容を知覚させるためのコンテンツデータと、視聴者に２次元的に内容を知覚させるための内容を知覚させるためのコンテンツデータとを再生する。再生部２３２は、３次元的に知覚される内容を表現するためのＬ信号及びＲ信号を映像処理部２３３へ出力する。Ｌ信号は、左眼で視聴されるように作成された左眼フレーム画像を表示するために用いられる。また、Ｒ信号は、右眼で視聴されるように作成された右眼フレーム画像を表示するために用いられる。左眼で左眼フレーム画像を視聴するとともに右眼で右眼フレーム画像を視聴した視聴者は、左眼フレーム画像と右眼フレーム画像との間に設定された視差量によって、これらフレーム画像によって表現される映像を３次元的に知覚する。また、再生部２３２は、２次元的に知覚される内容を表現するためのＬＲ信号を映像処理部２３３へ出力する。ＬＲ信号は、両眼で視聴されるように作成されたフレーム画像（以下、両眼フレーム画像と称される）を表示するために用いられる。
【０１８３】
処理工程Ｓ７３０においてＧＵＩの表示が不要であると判定した第２制御部２５０から制御信号を入力された映像処理部２３３は、Ｌ信号とＲ信号とを含む信号組とＬＲ信号とを交互にディスプレイ２１０へ出力する。図１６に示されるように、「Ｊ」番目に生成される左眼フレーム画像を表現するためのＬ信号及び「Ｊ」番目に生成される右眼フレーム画像を表現するためのＲ信号が、順次、ディスプレイ２１０へ出力された後、ＬＲ信号が出力される。その後、「Ｊ＋１」番目に生成される左眼フレーム画像を表現するためのＬ信号及び「Ｊ＋１」番目に生成される右眼フレーム画像を表現するためのＲ信号が、順次、ディスプレイ２１０へ出力される。
【０１８４】
第１眼鏡装置３１０を装着した視聴者によって操作された操作装置４００から送信された第１制御信号に基づき、処理工程Ｓ７３０においてＧＵＩの表示が必要であると判定した第２制御部２５０は、第１制御信号が含む第１眼鏡装置３１０の固有識別情報と、管理部２４０から出力された管理リスト中の各眼鏡装置３００の固有識別情報とを比較して、第１眼鏡装置３１０が操作用眼鏡装置であることを特定する。また、第２制御部２５０は、管理リスト中の他の眼鏡装置３００（即ち、第２眼鏡装置３２０）を非操作用眼鏡装置として特定する。その後、第２制御部２５０は、管理部２４０から出力された管理リスト中の第１眼鏡装置３１０の「同期画像」の欄を参照し、第１画像として例示される両眼フレーム画像に生成部２６０によって生成されたＧＵＩを合成することを決定する。映像処理部２３３は、第２制御部２５０の制御下で、両眼フレーム画像とＧＵＩとを合成し、第１フレーム画像を表示するための映像信号を生成する。その後、図１７に示される如く、「Ｊ」番目に生成される左眼フレーム画像及び右眼フレーム画像をそれぞれ表現するためのＬ信号及びＲ信号が、順次、ディスプレイ２１０に出力された後、ＧＵＩ付きの両眼フレーム画像を表現するための映像信号が出力される。その後、「Ｊ＋１」番目に生成される左眼フレーム画像及び右眼フレーム画像をそれぞれ表現するためのＬ信号及びＲ信号が、順次、ディスプレイ２１０に出力される。
【０１８５】
代替的に、第２眼鏡装置３２０から第１制御信号が送信されたならば、処理工程Ｓ７３０においてＧＵＩの表示が必要であると判定した第２制御部２５０は、第１制御信号が含む第２眼鏡装置３２０の固有識別情報と、管理部２４０から出力された管理リスト中の各眼鏡装置３００の固有識別情報とを比較して、第２眼鏡装置３２０が操作用眼鏡装置であることを特定する。その後、第２制御部２５０は、管理部２４０から出力された管理リスト中の第２眼鏡装置３２０の「同期画像」の欄を参照し、第２画像として例示される左眼フレーム画像及び右眼フレーム画像に生成部２６０によって生成されたＧＵＩを合成することを決定する。映像処理部２３３は、第２制御部２５０の制御下で、左眼フレーム画像／右眼フレーム画像とＧＵＩとを合成し、第１フレーム画像を表示するための映像信号を生成する。
【０１８６】
第１眼鏡装置３１０を装着した視聴者及び第２眼鏡装置３２０を装着した視聴者それぞれが異なる内容の映像を視聴するとき、処理工程Ｓ７３０におけるＧＵＩの表示／非表示の判定によらず、表示装置２００は、第１眼鏡装置３１０の光学フィルタ部３４０の制御に専ら用いられる第１同期信号と、第２眼鏡装置３２０の光学フィルタ部３４０の制御に専ら用いられる第２同期信号と、を送信する。
【０１８７】
両眼フレーム画像の視聴を補助する補助動作を両眼フレーム画像の表示に同期させるための第１同期信号は、第１眼鏡装置３１０の左眼シャッタ３４１及び右眼シャッタ３４２それぞれを開くためのパルス信号Ｏ１と、第１眼鏡装置３１０の左眼シャッタ３４１及び右眼シャッタ３４２それぞれを閉じるためのパルス信号Ｃ１と、を含む。
【０１８８】
パルス信号Ｏ１が両眼フレーム画像の表示の開始に同期して第２送受信部２２０から送信されるように第２制御部２５０は送信制御部２３４に制御信号を出力する。また、パルス信号Ｃ１が両眼フレーム画像の表示の終了に同期して第２送受信部２２０から送信されるように第２制御部２５０は送信制御部２３４に制御信号を出力する。
【０１８９】
パルス信号Ｏ１を受信した第１眼鏡装置３１０の左眼シャッタ３４１及び右眼シャッタ３４２は、両眼フレーム画像の表示の開始に同期して開く。パルス信号Ｃ１を受信した第１眼鏡装置３１０の左眼シャッタ３４１及び右眼シャッタ３４２は、両眼フレーム画像の表示の終了に同期して開く。
【０１９０】
左眼フレーム画像及び右眼フレーム画像の視聴を補助する補助動作を左眼フレーム画像及び右眼フレーム画像それぞれの表示に同期させるための第２同期信号は、第２眼鏡装置３２０の左眼シャッタ３４１を開くためのパルス信号ＯＬ２、第２眼鏡装置３２０の左眼シャッタ３４１を閉じるためのパルス信号ＣＬ２、第２眼鏡装置３２０の右眼シャッタ３４２を開くためのパルス信号ＯＲ２及び第２眼鏡装置３２０の右眼シャッタ３４２を閉じるためのパルス信号ＣＲ２を含む。
【０１９１】
パルス信号ＯＬ２が左眼フレーム画像の表示の開始に同期して第２送受信部２２０から送信されるように第２制御部２５０は送信制御部２３４に制御信号を出力する。また、パルス信号ＣＬ２が左眼フレーム画像の表示の終了に同期して第２送受信部２２０から送信されるように第２制御部２５０は送信制御部２３４に制御信号を出力する。パルス信号ＯＲ２が右眼フレーム画像の表示の開始に同期して第２送受信部２２０から送信されるように第２制御部２５０は送信制御部２３４に制御信号を出力する。パルス信号ＣＲ２が右眼フレーム画像の表示の終了に同期して第２送受信部２２０から送信されるように第２制御部２５０は送信制御部２３４に制御信号を出力する。
【０１９２】
パルス信号ＯＬ２を受信した第２眼鏡装置３２０の左眼シャッタ３４１は、左眼フレーム画像の表示の開始に同期して開く。パルス信号ＣＬ２を受信した第２眼鏡装置３２０の左眼シャッタ３４１は、左眼フレーム画像の表示の終了に同期して閉じる。パルス信号ＯＲ２を受信した第２眼鏡装置３２０の右眼シャッタ３４２は、右眼フレーム画像の表示の開始に同期して開く。パルス信号ＣＲ２を受信した第２眼鏡装置３２０の右眼シャッタ３４２は、右眼フレーム画像の表示の終了に同期して閉じる。
【０１９３】
第１眼鏡装置３１０を装着する視聴者によって操作された操作装置４００から送信された第１制御信号を第２送受信部２２０が受信すると、第２制御部２５０は、第１制御信号が含む第１眼鏡装置３１０の固有識別情報と管理部２４０から入力された管理リストとを比較する。この結果、第２制御部２５０は、映像処理部２３３に再生部２３２から出力されたＬＲ信号と生成部２６０から出力されたＧＵＩ信号とを用いて、映像処理部２３３に映像信号を生成させる。映像処理部２３３から映像信号が入力されたディスプレイ２１０は、両眼フレーム画像にＧＵＩを選択的に含めて表示することができる。
【０１９４】
本実施形態において、第１眼鏡装置３１０の第１補助動作を通じて視聴される第１フレーム画像として、両眼フレーム画像が例示されている。代替的に、第１フレーム画像は、３次元的に知覚されるように作成された左眼フレーム画像及び右眼フレーム画像であってもよい。
【０１９５】
第２眼鏡装置３２０の第２補助動作を通じて視聴される第２フレーム画像として、左眼フレーム画像及び右眼フレーム画像が例示されている。代替的に、第２フレーム画像は、２次元的に知覚されるように作成された両眼フレーム画像であってもよい。
【０１９６】
上記の説明において、第１眼鏡装置３１０が操作用眼鏡装置として選択されている。代替的に、第２眼鏡装置３２０が操作用眼鏡装置として選択されてもよい。
【０１９７】
本実施形態において、第１実施形態と同様に、第１眼鏡装置３１０及び第２眼鏡装置３２０それぞれに固有に割り当てられた固有識別情報が、ＧＵＩを含む画像を補助させるための眼鏡装置３００を選択するための識別情報として用いられている。第１眼鏡装置３１０及び第２眼鏡装置３２０それぞれに固有に割り当てられた固有識別情報は、第１眼鏡装置３１０を装着する視聴者及び第２眼鏡装置３２０を装着する視聴者が共通する内容のコンテンツデータの視聴を行う場合及び第１眼鏡装置３１０を装着する視聴者及び第２眼鏡装置３２０を装着する視聴者が異なる内容のコンテンツデータの視聴を行う場合ともに、ＧＵＩの選択的な視聴の提供に好適に貢献する。
【０１９８】
＜第３実施形態＞
第３実施形態の映像視聴システムは、操作装置と眼鏡装置との間の直接的な通信がなされる点において、第１実施形態及び第２実施形態と相違する。
【０１９９】
図１９は、第３実施形態に係る映像視聴システムの構成を概略的に示す模式図である。第１実施形態と同様の要素に対して、同様の符号が割り当てられている。図１９を用いて、映像視聴システムが説明される。
【０２００】
映像視聴システム１００Ａは、順次生成されるフレーム画像を含む映像を表示するディスプレイ２１０を備える表示装置２００と、表示装置２００が表示する映像の視聴を補助する補助動作を行う複数の眼鏡装置３００Ａ（第１眼鏡装置３１０Ａ及び第２眼鏡装置３２０Ａ）と、表示装置２００の所定の動作を指示するための操作情報が入力される操作装置４００Ａとを備える。
【０２０１】
操作装置４００Ａは、ブロードキャスト方式で固有識別情報を要求する要求信号を送信する第１送受信部４２０Ａを備える。操作装置４００Ａが送信する要求信号の到達範囲は、比較的、狭い範囲に設定されてもよい。例えば、標準的な成人の腕の長さを半径とする円形領域に収まる範囲内に要求信号の到達範囲が収められてもよい。
【０２０２】
眼鏡装置３００Ａは、要求信号に応答して、ＭＡＣアドレスを含む応答信号を、ユニキャスト方式で、操作装置４００Ａの第１送受信部４２０Ａに応答信号を返信する第３送受信部３３０Ａを備える。例えば、図１９に示されるように、第１眼鏡装置３１０Ａが操作装置４００Ａからの要求信号の到達範囲内に存するとき、第３送受信部３３０Ａは、第１眼鏡装置３１０ＡのＭＡＣアドレスに関する情報を含む応答信号を操作装置４００Ａの第１送受信部４２０Ａに返信する。第２眼鏡装置３２０Ａが操作装置４００Ａからの要求信号の到達範囲内に存するとき、第３送受信部３３０Ａは、第２眼鏡装置３２０ＡのＭＡＣアドレスに関する情報を含む応答信号を操作装置４００Ａの第１送受信部４２０Ａに返信する。尚、第１眼鏡装置３１０ＡのＭＡＣアドレスは、第２眼鏡装置３２０ＡのＭＡＣアドレスと異なるように設定されている。本実施形態において、第１眼鏡装置３１０Ａ及び第２眼鏡装置３２０Ａに設定されたＭＡＣアドレスそれぞれは、複数の眼鏡装置３００Ａそれぞれに予め割り当てられた固有識別情報として用いられる。本実施形態において、要求信号の到達範囲内に存する眼鏡装置３００Ａは、通信眼鏡装置として例示される。
【０２０３】
図２０は、操作装置４００Ａの構成を概略的に示すブロック図である。図１９及び図２０を用いて、操作装置４００Ａが説明される。
【０２０４】
操作装置４００Ａは、眼鏡装置３００ＡのＭＡＣアドレスを記憶する記憶部４４０Ａと、眼鏡装置３００Ａからの応答信号に応じて、記憶部４４０ＡにＭＡＣアドレスを記憶させる第１制御部４３３Ａとを含む。眼鏡装置３００Ａからの送信された応答信号を受信した第１送受信部４２０Ａは、第１制御部４３３Ａ応答信号が含むＭＡＣアドレスに関する情報を出力する。第１制御部４３３Ａは、記憶部４４０ＡにＭＡＣアドレスを記憶させる。この結果、例えば、図１９に示されるように、第１眼鏡装置３１０Ａのみが操作装置４００Ａからの要求信号の到達範囲内に存するとき、記憶部４４０Ａは、第１眼鏡装置３１０ＡのＭＡＣアドレスのみを格納する。また、第２眼鏡装置３２０Ａのみが操作装置４００Ａからの要求信号の到達範囲内に存するとき、記憶部４４０Ａは、第２眼鏡装置３２０ＡのＭＡＣアドレスのみを格納する。第１眼鏡装置３１０Ａ及び第２眼鏡装置３２０Ａが操作装置４００Ａからの要求信号の到達範囲内に存するとき、第１眼鏡装置３１０Ａ及び第２眼鏡装置３２０Ａ両方のＭＡＣアドレスが記憶部４４０Ａ内に記憶される。
【０２０５】
図２１は、操作装置４００Ａが行う処理を概略的に説明するフローチャートである。図７、図１９乃至図２１を用いて、図１１に関連して説明された操作装置４００が行う処理との相違点が説明される。尚、図１１に関連して説明された処理工程Ｓ８１０乃至処理工程Ｓ８３０及び処理工程Ｓ８７０は、操作装置４００Ａが行う処理と共通する。
【０２０６】
（処理工程：Ｓ８４１）
処理工程Ｓ８３０において、停止信号以外の信号の受信がなされると、処理工程Ｓ８４１が実行される。処理工程Ｓ８４１において、第１制御部４３３Ａは、ボタン４１０から信号が入力されると、表示装置２００に対して動作を指示するための操作信号であるか、或いは、第１眼鏡装置３１０Ａ又は第２眼鏡装置３２０Ａを選択するための選択信号であるか、を判定する。第１制御部４３３Ａが、ボタン４１０からの入力信号を、表示装置２００に対して動作を指示するための操作信号であると判定すると、処理工程Ｓ８４２が実行される。第１制御部４３３Ａが、ボタン４１０からの入力信号を、第１眼鏡装置３１０Ａ又は第２眼鏡装置３２０Ａを選択するための選択信号であると判定すると、処理工程Ｓ８５５が実行される。
【０２０７】
（処理工程：Ｓ８４２）
ボタン４１０からの入力信号を、表示装置２００に対して動作を指示するための操作信号であると判定した１制御部４３３Ａは、第１送受信部４２０Ａに要求信号を送信させる。１若しくは複数の眼鏡装置３００Ａからの応答信号を第１送受信部４２０Ａが受信するまで、要求信号の送信が続けられる。
【０２０８】
（処理工程：Ｓ８４４）
単数の眼鏡装置３００Ａからの応答信号を第１送受信部４２０Ａが受信すると、処理工程Ｓ８６０が実行される。複数の眼鏡装置３００Ａからの応答信号を第１送受信部４２０Ａが受信すると、処理工程Ｓ８４６が実行される。
【０２０９】
（処理工程：Ｓ８４６）
複数の眼鏡装置３００Ａからの応答信号を第１送受信部４２０Ａが受信すると、第１制御部４３３Ａは、視聴者のボタン４１０の操作により作り出された操作情報を記憶部４４０Ａに記憶させる。その後、処理工程Ｓ８４８が実行される。
【０２１０】
（処理工程：Ｓ８４８）
記憶部４４０Ａに操作情報が記憶された後、第１制御部４３３Ａは、通知部として例示される表示窓４３４に、視聴者に第１眼鏡装置３１０Ａ又は第２眼鏡装置３２０Ａの選択操作が必要である旨を表示させる。この結果、図７に関連して説明された操作を通じて、操作装置４００Ａを操作する操作者は、応答信号を返信した複数の通信眼鏡装置の中から操作用眼鏡装置を選択することができる。代替的に、表示窓４３４を発光させる発光要素、操作装置４００Ａを振動させる振動要素或いは操作装置４００Ａから音声を生じさせる音声要素が、視聴者に第１眼鏡装置３１０Ａ又は第２眼鏡装置３２０Ａの選択操作が必要である旨を通知する通知部として用いられてもよい。処理工程Ｓ８４８の実行により、視聴者による第１眼鏡装置３１０Ａ又は第２眼鏡装置３２０Ａの選択操作が促される。処理工程Ｓ８４８の後、視聴者が選択操作を行うと、処理工程Ｓ８３０及び処理工程Ｓ８４０の実行の後、処理工程Ｓ８５５が実行される。
【０２１１】
（処理工程：Ｓ８５５）
第１制御部４３３は、選択信号が含む選択情報（第１眼鏡装置３１０ＡのＭＡＣアドレス又は第２眼鏡装置３２０ＡのＭＡＣアドレス）を解析する。選択情報が、第１眼鏡装置３１０Ａ又は第２眼鏡装置３２０Ａの選択を表しているとき、第１制御部４３３は、選択情報を第１制御部４３３が備える不揮発性の記録媒体に保存する。その後、処理工程Ｓ８３０が再度実行される。
【０２１２】
（処理工程：Ｓ８６０）
処理工程Ｓ８４４において、単数の眼鏡装置３００Ａからの応答信号を受信したとき、第１制御部４３３Ａは、ボタン４１０から出力された操作信号が含む操作情報と、応答信号が含む眼鏡装置３００ＡのＭＡＣアドレスに関する情報とを用いて第１制御信号を生成する。或いは、処理工程Ｓ８４４において、単数の眼鏡装置３００Ａからの応答信号を受信したとき、記憶部４４０Ａに記憶された操作情報と、処理工程Ｓ８５５において記憶された選択情報とを用いて第１制御信号を生成する。その後、第１制御部４３３は、生成された第１制御信号を第１送受信部４２０Ａへ出力する。第１送受信部４２０Ａは、第１制御信号を表示装置２００へ送信する。
【０２１３】
その後、表示装置２００は、第１制御信号が含む眼鏡装置３００ＡのＭＡＣアドレスに関する情報に基づき、ＧＵＩを含むフレーム画像を視聴者に選択的に表示する。かくして、ＧＵＩの表示を必要とする視聴者のみがＧＵＩを視聴することができる。
【０２１４】
第１実施形態乃至第３実施形態は、操作装置４００，４００Ａの操作者にのみＧＵＩを表示することを目的とした光学フィルタ部３４０の制御及びＧＵＩの表示制御を、当業者が実行することができる程度に十分に説明している。第１実施形態乃至第３実施形態によれば、ＧＵＩの表示を必要としない操作者以外の視聴者へのＧＵＩの表示が好適に抑制される。
【産業上の利用可能性】
【０２１５】
本発明は、複数の視聴者によって視聴される３次元映像及び／又は２次元映像を提供するための映像視聴システム、表示装置、眼鏡装置や操作装置に好適に適用される。
【符号の説明】
【０２１６】
１００，１００Ａ・・・・・映像視聴システム
２００・・・・・・・・・・表示装置
２１０・・・・・・・・・・ディスプレイ
２２０・・・・・・・・・・第２送受信部
２３３・・・・・・・・・・映像処理部
２４０・・・・・・・・・・管理部
２５０・・・・・・・・・・第２制御部
２６０・・・・・・・・・・生成部
３００，３００Ａ・・・・・眼鏡装置
３１０，３１０Ａ・・・・・第１眼鏡装置
３２０，３２０Ａ・・・・・第２眼鏡装置
３３０，３３０Ａ・・・・・第３送受信部
３４０・・・・・・・・・・光学フィルタ部
３５０・・・・・・・・・・電池
４００，４００Ａ・・・・・操作装置
４１０・・・・・・・・・・ボタン
４２０，４２０Ａ・・・・・第１送受信部
【図１】
2012023553.tif 000003
【図２】
2012023553.tif 000004
【図３】
2012023553.tif 000005
【図４】
2012023553.tif 000006
【図５】
2012023553.tif 000007
【図６】
2012023553.tif 000008
【図７】
2012023553.tif 000009
【図８】
2012023553.tif 000010
【図９】
2012023553.tif 000011
【図１０】
2012023553.tif 000012
【図１１】
2012023553.tif 000013
【図１２】
2012023553.tif 000014
【図１３】
2012023553.tif 000015
【図１４】
2012023553.tif 000016
【図１５】
2012023553.tif 000017
【図１６】
2012023553.tif 000018
【図１７】
2012023553.tif 000019
【図１８】
2012023553.tif 000020
【図１９】
2012023553.tif 000021
【図２０】
2012023553.tif 000022
【図２１】
2012023553.tif 000023